(57)【要約】本発明の実施形態は、信号測定方法、ネットワーク側装置およびユーザー装置を提供する。方法は次の段階を含む：ネットワーク側装置によって、下りリンク参照信号の構成情報を送る段階であって、該下りリンク参照信号の構成情報は、下りリンク参照信号のエア・インターフェース送信情報を示すために使われる、段階；前記ネットワーク側装置によって、前記下りリンク参照信号を送る段階であって、前記下りリンク参照信号は、前記下りリンク参照信号の前記構成情報に基づいて生成される、段階；ユーザー装置によって、下りリンク参照信号の構成情報を受信する段階；およびユーザー装置によって、前記下りリンク参照信号を受信し、前記下りリンク参照信号に基づく測定を実行する段階。本発明の実施形態においては、必要に応じて測定信号が構成されることができ、それにより測定精度および測定効率を改善し、下りリンク参照信号オーバーヘッドを軽減する。
2020503819.tif 000002
【特許請求の範囲】
【請求項１】
信号測定方法であって：
ネットワーク側装置によって、下りリンク参照信号の構成情報を送る段階であって、前記下りリンク参照信号の前記構成情報は、前記下りリンク参照信号のエア・インターフェース送信情報を示すために使われる、段階と；
前記ネットワーク側装置によって、前記下りリンク参照信号を送る段階であって、前記下りリンク参照信号は、前記下りリンク参照信号の前記構成情報に基づいて生成される、段階とを含む、
方法。
【請求項２】
前記下りリンク参照信号の前記構成情報は、前記下りリンク参照信号のポート情報および前記下りリンク参照信号の時間‐周波数資源情報を含む、請求項１記載の方法。
【請求項３】
ネットワーク側装置によって、下りリンク参照信号の構成情報を送る前記段階は、
前記ネットワーク側装置によって、前記下りリンク参照信号の前記構成情報を、物理ブロードキャスト・チャネルPBCHを通じて送ること；または
前記ネットワーク側装置によって、前記下りリンク参照信号の前記構成情報を、無線資源制御RRC信号伝達を使って送ることを含む、
請求項１または２記載の方法。
【請求項４】
前記下りリンク参照信号は構成可能な下りリンク参照信号であり、チャネル状態情報参照信号または下りリンク測定参照信号を含む；または前記下りリンク参照信号はビーム・ベースの下りリンク参照信号であり、ビーム固有参照信号またはセル固有参照信号を含む、請求項１ないし３のうちいずれか一項記載の方法。
【請求項５】
ネットワーク側装置によって、下りリンク参照信号の構成情報を送る前記段階は：
ユーザー装置が事前設定された端エリアに位置していることを検出するときに、前記ネットワーク側装置によって、前記下りリンク参照信号の前記構成情報を送ることを含む、
請求項４記載の方法。
【請求項６】
当該方法がさらに：
前記ネットワーク側装置によって、前記ユーザー装置によって送られた第一の測定結果を受信することを含み、前記第一の測定結果は前記下りリンク参照信号に基づく測定を通じて前記ユーザー装置によって得られ、第一の参照信号受信電力RSRP、第一の参照信号受信品質RSRQまたは第一の受信信号強度指標RSSIのうちの少なくとも一つを含む、
請求項１ないし５のうちいずれか一項記載の方法。
【請求項７】
当該方法がさらに：
前記ネットワーク側装置によって、前記ユーザー装置によって送られた第二の測定結果を受信することを含み、前記第二の測定結果は、前記ネットワーク側装置によって送られた同期信号に基づく測定を通じて前記ユーザー装置によって得られ、第二のRSRP、第二のRSRQまたは第二のRSSIのうちの少なくとも一つを含む、
請求項１ないし５のうちいずれか一項記載の方法。
【請求項８】
当該方法がさらに：
前記ネットワーク側装置によって、前記ユーザー装置によって送られた第三の測定結果を受信することを含み、前記第三の測定結果は、前記第一の測定結果および前記第二の測定結果に基づく計算を通じて前記ユーザー装置によって得られ、第三のRSRP、第三のRSRQまたは第三のRSSIのうちの少なくとも一つを含む、
請求項６または７記載の方法。
【請求項９】
当該方法がさらに：
前記ネットワーク側装置によって、前記ユーザー装置によって送られる前記第一の測定結果および前記第二の測定結果を受信することを含み、前記第一の測定結果は、前記ユーザー装置が前記事前設定された端エリアに位置しているときに前記下りリンク参照信号に基づく測定を通じて得られ、前記第二の測定結果は、前記ユーザー装置が事前設定された中心エリアに位置しているときに前記同期信号に基づく測定を通じて得られる、
請求項６または７記載の方法。
【請求項１０】
当該方法がさらに：
前記ネットワーク側装置によって、前記ユーザー装置によって送られた測定結果に基づいて、前記ユーザー装置がセル・ハンドオーバーまたは再選択を実行する必要があるかどうかを判定する段階であって、前記測定結果は前記第一の測定結果または前記第二の測定結果または前記第三の測定結果または前記第一の測定結果と前記第二の測定結果を含む、段階と；
判定結果が、前記ユーザー装置がセル・ハンドオーバーまたは再選択を実行する必要があるということである場合、前記ネットワーク側装置によって、前記ユーザー装置に命令メッセージを送る段階であって、該命令メッセージは、セル・ハンドオーバーまたは再選択を実行するよう前記ユーザー装置に命令するために使われる、段階とを含む、
請求項６ないし９のうちいずれか一項記載の方法。
【請求項１１】
信号測定方法であって：
ユーザー装置によって、下りリンク参照信号の構成情報を受信する段階であって、前記下りリンク参照信号の前記構成情報は、前記下りリンク参照信号のエア・インターフェース送信情報を示すために使われる、段階と；
前記ユーザー装置によって、前記下りリンク参照信号を受信する段階であって、前記下りリンク参照信号は、前記下りリンク参照信号の前記構成情報に基づいて生成される、段階と；
前記ユーザー装置によって、前記下りリンク参照信号に基づく測定を実行する段階とを含む、
方法。
【請求項１２】
前記下りリンク参照信号の前記構成情報は、前記下りリンク参照信号のポート情報および前記下りリンク参照信号の時間‐周波数資源情報を含む、請求項１１記載の方法。
【請求項１３】
前記下りリンク参照信号の前記構成情報は、PBCHを通じて前記ユーザー装置に送られる、またはRRC信号伝達を使って前記ユーザー装置に送られる、請求項１１または１２記載の方法。
【請求項１４】
前記下りリンク参照信号は構成可能な下りリンク参照信号であり、チャネル状態情報参照信号または下りリンク測定参照信号を含む；または前記下りリンク参照信号はビーム・ベースの下りリンク参照信号であり、ビーム固有参照信号またはセル固有参照信号を含む、請求項１１ないし１３のうちいずれか一項記載の方法。
【請求項１５】
前記下りリンク参照信号の前記構成情報は、前記ユーザー装置が事前設定された端エリアに位置していることを前記ネットワーク側装置が検出するときに、前記ネットワーク側装置によって前記ユーザー装置に送られる、請求項１４記載の方法。
【請求項１６】
当該方法がさらに：
前記ユーザー装置によって、第一の測定結果を送ることを含み、前記第一の測定結果は、前記下りリンク参照信号に基づく測定を通じて前記ユーザー装置によって得られ、第一のRSRP、第一のRSRQまたは第一のRSSIのうちの少なくとも一つを含む、請求項１１ないし１５のうちいずれか一項記載の方法。
【請求項１７】
当該方法がさらに：
前記ユーザー装置によって、第二の測定結果を、同期信号に基づく測定を通じて得る段階であって、前記第二の測定結果は、第二のRSRP、第二のRSRQまたは第二のRSSIのうちの少なくとも一つを含む、段階と；
前記ユーザー装置によって、前記第二の測定結果を送る段階とを含む、
請求項１１ないし１５のうちいずれか一項記載の方法。
【請求項１８】
当該方法がさらに：
前記ユーザー装置によって、前記第一の測定結果および前記第二の測定結果に基づく計算を通じて第三の測定結果を得る段階であって、前記第三の測定結果は、第三のRSRP、第三のRSRQまたは第三のRSSIのうちの少なくとも一つを含む、段階と；
前記ユーザー装置によって、前記第三の測定結果を送る段階とを含む、
請求項１６または１７記載の方法。
【請求項１９】
当該方法がさらに：
前記ユーザー装置が前記事前設定された端エリアに位置しているときに、前記下りリンク参照信号に基づく測定を通じて前記第一の測定結果を得て；
前記ユーザー装置が事前設定された中心エリアに位置しているときに、前記同期信号に基づく測定を通じて前記第二の測定結果を得て；
前記ユーザー装置によって、前記第一の測定結果および前記第二の測定結果を送る段階とを含む、
請求項１６または１７記載の方法。
【請求項２０】
当該方法がさらに：
前記ユーザー装置によって、命令メッセージを受信し、該命令メッセージに従ってセル・ハンドオーバーまたは再選択を実行することを含む、
請求項１６ないし１９のうちいずれか一項記載の方法。
【請求項２１】
トランシーバおよびプロセッサを有するネットワーク側装置であって、
前記トランシーバは、下りリンク参照信号の構成情報を送るよう構成され、前記下りリンク参照信号の前記構成情報は、前記下りリンク参照信号のエア・インターフェース送信情報を示すために使われ；
前記トランシーバは、前記下りリンク参照信号を送るようさらに構成され、前記下りリンク参照信号は、前記下りリンク参照信号の前記構成情報に基づいて生成される、
ネットワーク側装置。
【請求項２２】
前記下りリンク参照信号の前記構成情報は、前記下りリンク参照信号のポート情報および前記下りリンク参照信号の時間‐周波数資源情報を含む、請求項２１記載のネットワーク側装置。
【請求項２３】
前記トランシーバは具体的には：前記下りリンク参照信号の前記構成情報を、物理ブロードキャスト・チャネルPBCHを通じて送る；または前記下りリンク参照信号の前記構成情報を、無線資源制御RRC信号伝達を使って送るよう構成されている、請求項２１または２２記載のネットワーク側装置。
【請求項２４】
前記下りリンク参照信号は構成可能な下りリンク参照信号であり、チャネル状態情報参照信号または下りリンク測定参照信号を含む；または前記下りリンク参照信号はビーム・ベースの下りリンク参照信号であり、ビーム固有参照信号またはセル固有参照信号を含む、請求項２１ないし２３のうちいずれか一項記載のネットワーク側装置。
【請求項２５】
前記トランシーバは具体的には、ユーザー装置が事前設定された端エリアに位置していることが検出されるときに、前記下りリンク参照信号の前記構成情報を送るよう構成される、請求項２４記載のネットワーク側装置。
【請求項２６】
前記トランシーバがさらに、前記ユーザー装置によって送られた第一の測定結果を受信するよう構成され、前記第一の測定結果は前記下りリンク参照信号に基づく測定を通じて前記ユーザー装置によって得られ、第一の参照信号受信電力RSRP、第一の参照信号受信品質RSRQまたは第一の受信信号強度指標RSSIのうちの少なくとも一つを含む、請求項２１ないし２５のうちいずれか一項記載のネットワーク側装置。
【請求項２７】
前記トランシーバがさらに、前記ユーザー装置によって送られた第二の測定結果を受信するよう構成され、前記第二の測定結果は、前記ネットワーク側装置によって送られた同期信号に基づく測定を通じて前記ユーザー装置によって得られ、第二のRSRP、第二のRSRQまたは第二のRSSIのうちの少なくとも一つを含む、請求項２１ないし２５のうちいずれか一項記載のネットワーク側装置。
【請求項２８】
前記トランシーバがさらに、前記ユーザー装置によって送られた第三の測定結果を受信することを含み、前記第三の測定結果は、前記第一の測定結果および前記第二の測定結果に基づく計算を通じて前記ユーザー装置によって得られ、第三のRSRP、第三のRSRQまたは第三のRSSIのうちの少なくとも一つを含む、請求項２６または２７記載のネットワーク側装置。
【請求項２９】
前記トランシーバがさらに、前記ユーザー装置によって送られる前記第一の測定結果および前記第二の測定結果を受信するよう構成され、前記第一の測定結果は、前記ユーザー装置が前記事前設定された端エリアに位置しているときに前記下りリンク参照信号に基づく測定を通じて得られ、前記第二の測定結果は、前記ユーザー装置が事前設定された中心エリアに位置しているときに前記同期信号に基づく測定を通じて得られる、請求項６６または２７記載のネットワーク側装置。
【請求項３０】
前記トランシーバがさらに、前記ユーザー装置によって送られた測定結果に基づいて、前記ユーザー装置がセル・ハンドオーバーまたは再選択を実行する必要があるかどうかを判定するよう構成され、前記測定結果は前記第一の測定結果または前記第二の測定結果または前記第三の測定結果または前記第一の測定結果と前記第二の測定結果を含み；
判定結果が、前記ユーザー装置がセル・ハンドオーバーまたは再選択を実行する必要があるということである場合、前記ネットワーク側装置は、前記ユーザー装置に命令メッセージを送り、該命令メッセージは、セル・ハンドオーバーまたは再選択を実行するよう前記ユーザー装置に命令するために使われる、
請求項２６ないし２９のうちいずれか一項記載のネットワーク側装置。
【請求項３１】
プロセッサおよび通信モジュールを有するユーザー装置であって：
前記通信モジュールは、下りリンク参照信号の構成情報を受信するよう構成され、前記下りリンク参照信号の前記構成情報は、前記下りリンク参照信号のエア・インターフェース送信情報を示すために使われ；
前記通信モジュールは、前記下りリンク参照信号を受信するようさらに構成され、前記下りリンク参照情報は、前記下りリンク参照信号の前記構成情報に基づいて生成され；
前記プロセッサは、前記下りリンク参照信号に基づいて測定を実行するよう構成される、
ユーザー装置。
【請求項３２】
前記下りリンク参照信号の前記構成情報は、前記下りリンク参照信号のポート情報および前記下りリンク参照信号の時間‐周波数資源情報を含む、請求項３１記載のユーザー装置。
【請求項３３】
前記下りリンク参照信号の前記構成情報は、PBCHを通じて前記ユーザー装置に送られる、またはRRC信号伝達を使って前記ユーザー装置に送られる、請求項３１または３２記載のユーザー装置。
【請求項３４】
前記下りリンク参照信号は構成可能な下りリンク参照信号であり、チャネル状態情報参照信号または下りリンク測定参照信号を含む；または前記下りリンク参照信号はビーム・ベースの下りリンク参照信号であり、ビーム固有参照信号またはセル固有参照信号を含む、請求項３１ないし３３のうちいずれか一項記載のユーザー装置。
【請求項３５】
前記下りリンク参照信号の前記構成情報は、前記ユーザー装置が事前設定された端エリアに位置していることを前記ネットワーク側装置が検出するときに、前記ネットワーク側装置によって前記ユーザー装置に送られる、請求項３４記載のユーザー装置。
【請求項３６】
前記通信モジュールがさらに、第一の測定結果を送るよう構成され、前記第一の測定結果は、前記下りリンク参照信号に基づく測定を通じて前記ユーザー装置によって得られ、第一のRSRP、第一のRSRQまたは第一のRSSIのうちの少なくとも一つを含む、請求項３１ないし３５のうちいずれか一項記載のユーザー装置。
【請求項３７】
前記プロセッサがさらに、第二の測定結果を、同期信号に基づく測定を通じて得るよう構成され、前記第二の測定結果は、第二のRSRP、第二のRSRQまたは第二のRSSIのうちの少なくとも一つを含み；
前記通信モジュールがさらに、前記第二の測定結果を送るよう構成される、
請求項３１ないし３５のうちいずれか一項記載のユーザー装置。
【請求項３８】
前記プロセッサがさらに、前記第一の測定結果および前記第二の測定結果に基づく計算を通じて第三の測定結果を得るよう構成され、前記第三の測定結果は、第三のRSRP、第三のRSRQまたは第三のRSSIのうちの少なくとも一つを含み；
前記通信モジュールがさらに、前記第三の測定結果を送るよう構成される、
請求項３６または３７記載のユーザー装置。
【請求項３９】
前記プロセッサがさらに、前記ユーザー装置が前記事前設定された端エリアに位置しているときに、前記下りリンク参照信号に基づく測定を通じて前記第一の測定結果を得るよう構成され；
前記プロセッサがさらに、前記ユーザー装置が事前設定された中心エリアに位置しているときに、前記同期信号に基づく測定を通じて前記第二の測定結果を得るよう構成され；
前記通信モジュールがさらに、前記第一の測定結果および前記第二の測定結果を送るよう構成される、
請求項３６または３７記載のユーザー装置。
【請求項４０】
前記通信モジュールがさらに、命令メッセージを受信し、該命令メッセージに従ってセル・ハンドオーバーまたは再選択を実行するよう構成される、請求項３６ないし３９のうちいずれか一項記載のユーザー装置。
【発明の詳細な説明】
【技術分野】
【０００１】
本願は2017年1月5日に中国特許庁に出願された「信号測定方法、ネットワーク側装置およびユーザー装置」と題する中国特許出願第201710008490.3号の優先権を主張するものである。同出願はここに参照によってその全体において組み込まれる。
【０００２】
技術分野
本発明は通信技術の分野に、具体的には信号測定方法、ネットワーク側装置およびユーザー装置に関する。
【背景技術】
【０００３】
無線資源管理（Radio  Resource  Management、RRM）は、帯域幅が限られているときにネットワークにおいて無線ユーザー端末のためにサービス品質を保証することである。基本的な出発点は、ネットワーク・トラフィックが不均等に分布しておりチャネル特徴がチャネル減衰および干渉によりゆらぐときに、無線送信およびネットワークのための利用可能な資源を柔軟に割り当て、動的に調整することで、無線スペクトル利用を最大限に改善し、ネットワーク輻輳を回避し、信号伝達負荷をできるだけ低く維持することである。RRMは電力制御、チャネル割り当て、スケジューリング、ハンドオーバー、アクセス制御、負荷制御、適応的な符号化および変調などを含む。
【０００４】
現在のところ、ロングタームエボリューション（Long  Term  Evolution、LTE）システムでは、RRMにおけるセル・ハンドオーバーは、下りリンク信号に基づく測定様式を使う。具体的には、基地局が、参照信号（Reference  signal、RS）たとえば固定時間‐周波数資源の共通参照信号（Common  Reference  signal、CRS）を送り；ユーザー装置（User  Equipment、UE）が基地局によって送られたCRSを受信し、測定を通じてCRSの参照信号受信電力（Reference  Signal  Received  Power、RSRP）および参照信号受信品質（Reference  Signal  Received  Quality、RSRQ）のような測定結果を得て、該測定結果を基地局に送り；基地局は、UEによってフィードバックされた測定結果を受信して、該測定結果に基づいて、UEがセル・ハンドオーバーを実行する必要があるかどうかを決定する。
【０００５】
通信プロセスにおいて、UEは移動状態にあることがあり、セルの中心からセルの端に、あるいはセルの端からセルの中心に動くことがある。しかしながら、これらの場合、上記の測定様式がいまだ使われ、測定信号は、固定した測定様式のため、必要に応じて当該UEのために構成されることができず、不十分な測定精度によってピンポン・ハンドオーバー効果が引き起こされることがありうる。結果として、これは、基地局にとってはある程度参照信号オーバーヘッドを増し、UEにとってはある程度測定効率に影響する。
【発明の概要】
【０００６】
本発明の実施形態は、必要に応じて測定信号を構成し、測定精度および測定効率を改善し、下りリンク参照信号オーバーヘッドを軽減するよう、信号測定方法、ネットワーク側装置およびユーザー装置を提供する。
【０００７】
本発明の実施形態の第一の側面は、信号測定方法であって：
ネットワーク側装置によって、下りリンク参照信号の構成情報を送る段階であって、該下りリンク参照信号の構成情報は、下りリンク参照信号のエア・インターフェース送信情報を示すために使われる、段階と；
前記ネットワーク側装置によって、前記下りリンク参照信号を送る段階であって、前記下りリンク参照信号は、前記下りリンク参照信号の前記構成情報に基づいて生成される、段階とを含む、
方法を提供する。
【０００８】
本発明の実施形態の第一の側面によれば、ネットワーク側装置は、下りリンク参照信号のエア・インターフェース送信情報を示すために使われる前記構成情報を送達し、前記下りリンク参照信号を送達して、前記ユーザー装置に、前記下りリンク参照信号に基づいて測定を実行するよう命令する。それにより、必要に応じて測定信号が構成されることができ、それにより測定精度および測定効率を改善し、下りリンク参照信号オーバーヘッドを軽減する。
【０００９】
ある可能な実装では、下りリンク参照信号の構成情報は、下りリンク参照信号のポート情報および下りリンク参照信号の時間‐周波数資源情報を含む。下りリンク参照信号のエア・インターフェース送信情報は、該ポート情報および時間‐周波数資源情報を使って示される。それにより、ユーザー装置は、対応するポートおよび時間‐周波数資源で下りリンク参照信号を受信する。
【００１０】
ある可能な実装では、ネットワーク側装置は、下りリンク参照信号の構成情報を、物理ブロードキャスト・チャネルPBCHを通じて送る。ネットワーク側装置は、下りリンク参照信号の構成情報を、PBCHを通じて、ネットワーク側装置のカバレッジ内にあるすべてのユーザー装置に送ることができる。それにより、カバレッジ内のすべてのユーザー装置が測定のために下りリンク参照信号を使用できる。
【００１１】
ある可能な実装では、ネットワーク側装置は、無線資源制御RRC信号伝達を使って下りリンク参照信号の構成情報を送る、換言すれば、下りリンク参照信号構成情報を関連的に送る。RRC信号伝達において搬送される下りリンク参照信号の構成情報は、異なるユーザー装置については変わりうる。
【００１２】
ある可能な実装では、下りリンク参照信号は構成可能な下りリンク参照信号であり、チャネル状態情報参照信号または下りリンク測定参照信号を含む。構成可能な下りリンク参照信号の使用は、下りリンク参照信号オーバーヘッドを軽減できる。
【００１３】
ある可能な実装では、下りリンク参照信号はビーム・ベースの下りリンク参照信号であり、ビーム固有参照信号またはセル固有参照信号を含む。
【００１４】
ある可能な実装では、ユーザー装置が事前設定された端エリアに位置していることを検出するときに、ネットワーク側装置は下りリンク参照信号の構成情報を送る。ユーザー装置が事前設定された端エリアに位置しているとき、下りリンク参照信号は測定のために使われ、それにより測定精度が改善されることができ、ピンポン・ハンドオーバー効果が回避される。
【００１５】
ある可能な実装では、ユーザー装置の信号強度が事前設定された閾値未満であることを検出するとき、ネットワーク側装置は下りリンク参照信号の構成情報を送る。信号が比較的貧弱であるとき、下りリンク参照信号は測定のために使われ、よって、測定精度が改善されることができ、ピンポン・ハンドオーバー効果が回避される。
【００１６】
ある可能な実装では、ネットワーク側装置は、ユーザー装置によって送られた第一の測定結果を受信し、ここで、第一の測定結果は下りリンク参照信号に基づく測定を通じてユーザー装置によって得られ、第一の参照信号受信電力RSRP、第一の参照信号受信品質RSRQまたは第一の受信信号強度指標RSSIのうちの少なくとも一つを含む。第一の測定結果は比較的高い精度をもつ。
【００１７】
ある可能な実装では、ネットワーク側装置は、ユーザー装置によって送られた第二の測定結果を受信し、ここで、第二の測定結果は、ネットワーク側装置によって送られた同期信号に基づく測定を通じてユーザー装置によって得られ、第二のRSRP、第二のRSRQまたは第二のRSSIのうちの少なくとも一つを含む。第二の測定結果は第一の測定結果ほど精密ではない。信号が比較的良好であるときは、ユーザー装置は同期信号に基づく測定を実行してもよい。
【００１８】
ある可能な実装では、ネットワーク側装置は、ユーザー装置によって送られた第三の測定結果を受信し、ここで、第三の測定結果は、第一の測定結果および第二の測定結果に基づく計算を通じてユーザー装置によって得られ、第三のRSRP、第三のRSRQまたは第三のRSSIのうちの少なくとも一つを含む。第三の測定結果は第二の測定結果より精密である。
【００１９】
ある可能な実装では、ネットワーク側装置は、ユーザー装置によって送られる第一の測定結果および第二の測定結果を受信し、第一の測定結果は、ユーザー装置が事前設定された端エリアに位置しているときに下りリンク参照信号に基づく測定を通じて得られ、第二の測定結果は、ユーザー装置が事前設定された中心エリアに位置しているときに同期信号に基づく測定を通じて得られる。
【００２０】
ある可能な実装では、ネットワーク側装置は、ユーザー装置によって送られた測定結果に基づいて、ユーザー装置がセル・ハンドオーバーまたは再選択を実行する必要があるかどうかを判定する。ここで、測定結果は前記第一の測定結果または前記第二の測定結果または前記第三の測定結果または前記第一の測定結果と前記第二の測定結果を含み；
判定結果が、ユーザー装置がセル・ハンドオーバーまたは再選択を実行する必要があるということである場合、ネットワーク側装置はユーザー装置に命令メッセージを送り、該命令メッセージは、セル・ハンドオーバーまたは再選択を実行するようユーザー装置に命令するために使われる。
【００２１】
ある可能な実装では、ネットワーク側装置は通知メッセージを送り、前記通知メッセージは、ある事前設定されたネットワーク側装置の下りリンク参照信号の構成情報を含む。該事前設定されたネットワーク側装置のカバレッジに移動するとき、ユーザー装置は事前設定されたネットワーク側装置の下りリンク参照信号に基づく測定を実行する。これは、測定の柔軟性を改善できる。
【００２２】
ある可能な実装では、ネットワーク側装置は、第二の測定結果に基づいて、ユーザー装置が事前設定された端エリアに位置しているかどうかを判定し；判定結果がユーザー装置がセル・ハンドオーバーまたは再選択を実行する必要があるというものであるとき、上りリンク参照信号の構成情報を送り；ユーザー装置によって送られた上りリンク参照信号を受信し；上りリンク参照信号に基づいて測定を実行する。上りリンク参照信号は、レイテンシーを軽減し、電力を節約するために、測定のために使われる。
【００２３】
本発明の実施形態の第二の側面は、もう一つの信号測定方法であって：
ユーザー装置によって、下りリンク参照信号の構成情報を受信する段階であって、該下りリンク参照信号の構成情報は、下りリンク参照信号のエア・インターフェース送信情報を示すために使われる、段階と；
前記ユーザー装置によって、前記下りリンク参照信号を受信する段階であって、前記下りリンク参照情報は、前記下りリンク参照信号の前記構成情報に基づいて生成される、段階と；
前記ユーザー装置によって、前記下りリンク参照信号に基づく測定を実行する段階とを含む、
方法を提供する。
【００２４】
ある可能な実装では、前記第二の測定結果または前記第一の測定結果と前記第二の測定結果または前記第三の測定結果に基づいて、ユーザー装置がセル・ハンドオーバーまたは再選択を実行する必要があるかどうかをネットワーク側装置によって判定する精度は比較的高い。
【００２５】
本発明の実施形態の第二の側面によれば、ユーザー装置は、前記下りリンク参照信号に基づいて測定を実行し、それにより、測定精度および測定効率が改善されることができる。
【００２６】
ある可能な実装では、下りリンク参照信号の構成情報は、下りリンク参照信号のポート情報および下りリンク参照信号の時間‐周波数資源情報を含み、ユーザー装置は、対応するポートおよび時間‐周波数資源で下りリンク参照信号を受信する。
【００２７】
ある可能な実装では、下りリンク参照信号の構成情報は、PBCHを通じてユーザー装置に送られる、またはRRC信号伝達を使ってユーザー装置に送られる。
【００２８】
ある可能な実装では、下りリンク参照信号は構成可能な下りリンク参照信号であり、チャネル状態情報参照信号または下りリンク測定参照信号を含む。構成可能な下りリンク参照信号の使用は、下りリンク参照信号オーバーヘッドを軽減できる。
【００２９】
ある可能な実装では、下りリンク参照信号はビーム・ベースの下りリンク参照信号であり、ビーム固有参照信号またはセル固有参照信号を含む。
【００３０】
ある可能な実装では、下りリンク参照信号の構成情報は、ユーザー装置が事前設定された端エリアに位置していることをネットワーク側装置が検出するときに、ネットワーク側装置によってユーザー装置に送られる。
【００３１】
ある可能な実装では、下りリンク参照信号の構成情報は、ユーザー装置の信号強度が事前設定された閾値未満であることをネットワーク側装置が検出するときに、ネットワーク側装置によってユーザー装置に送られる。
【００３２】
ある可能な実装では、ユーザー装置は、下りリンク参照信号に基づく測定を通じて第一の測定結果を得て、該第一の測定結果を送る。ここで、第一の測定結果は、第一のRSRP、第一のRSRQまたは第一のRSSIのうちの少なくとも一つを含む。第一の測定結果は比較的高い精度をもつ。
【００３３】
ある可能な実装では、ユーザー装置は第二の測定結果を、同期信号に基づく測定を通じて得る。第二の測定結果は、第二のRSRP、第二のRSRQまたは第二のRSSIのうちの少なくとも一つを含む。第二の測定結果は第一の測定結果ほど精密ではなく、信号が比較的良好であるときは、ユーザー装置は同期信号に基づく測定を実行してもよい。
【００３４】
ある可能な実装では、ユーザー装置が事前設定された中心エリアに位置しているときは、ネットワーク装置は、同期信号に基づく測定を通じて前記第二の測定結果を得る。
【００３５】
ある可能な実装では、ユーザー装置は、第一の測定結果および第二の測定結果に基づく計算を通じて第三の測定結果を得て、第三の測定結果を送り、ネットワーク側装置は第三の測定結果を受信する。第三の測定結果は、第三のRSRP、第三のRSRQまたは第三のRSSIのうちの少なくとも一つを含む。第三の測定結果は第二の測定結果より精密である。
【００３６】
ある可能な実装では、ユーザー装置は、前記事前設定された端エリアに位置しているときに下りリンク参照信号に基づく測定を通じて前記第一の測定結果を得て、前記事前設定された中心エリアに位置しているときは、同期信号に基づく測定を通じて前記第二の測定結果を得て、第一の測定結果および第二の測定結果を送り、ネットワーク側装置は第一の測定結果および第二の測定結果を受信する。
【００３７】
ある可能な実装では、ユーザー装置は命令メッセージを受信し、該命令メッセージに従ってセル・ハンドオーバーまたは再選択を実行する。
【００３８】
ある可能な実装では、ユーザー装置は通知メッセージを受信し、前記通知メッセージは、ある事前設定されたネットワーク側装置の下りリンク参照信号の構成情報を含む。ユーザー装置が事前設定されたネットワーク側装置のカバレッジ内に位置する場合、ユーザー装置は事前設定されたネットワーク側装置の下りリンク参照信号を受信し、該事前設定されたネットワーク側装置の下りリンク参照信号に基づく測定を実行し、測定の柔軟性を改善する。
【００３９】
ある可能な実装では、ユーザー装置は、上りリンク参照信号の構成情報を受信し、該上りリンク参照信号を送る。
【００４０】
本発明の実施形態の第三の側面は、トランシーバおよびプロセッサを含むネットワーク側装置であって、
前記トランシーバは、下りリンク参照信号の構成情報をユーザー装置に送るよう構成され、該下りリンク参照信号の構成情報は、下りリンク参照信号のエア・インターフェース送信情報を示すために使われ；
前記トランシーバは、前記下りリンク参照信号をユーザー装置に送るようさらに構成され、前記下りリンク参照信号は、前記下りリンク参照信号の前記構成情報に基づいて生成され、測定を実行するためにユーザー装置によって使われる、
ネットワーク側装置を提供する。
【００４１】
本発明の実施形態の第三の側面において提供されるネットワーク側装置は、本発明の第一の側面において提供される信号測定方法においてネットワーク側装置によって実行される機能を実装するよう構成される。それらの機能は、ハードウェアを使って実装されてもよく、あるいはハードウェアによって対応するソフトウェアを実行することによって実装されてもよい。
【００４２】
本発明の実施形態の第四の側面は、プロセッサおよび通信モジュールを含むユーザー装置であって：
前記通信モジュールは、ネットワーク側装置によって送られた、下りリンク参照信号の構成情報を受信するよう構成され、該下りリンク参照信号の構成情報は、下りリンク参照信号のエア・インターフェース送信情報を示すために使われ；
前記通信モジュールは、ネットワーク側装置によって送られた前記下りリンク参照信号を受信するようさらに構成され、前記下りリンク参照情報は、前記下りリンク参照信号の前記構成情報に基づいて生成され；
前記プロセッサは、前記下りリンク参照信号に基づいて測定を実行するよう構成される、
ユーザー装置を提供する。
【００４３】
本発明の実施形態の第四の側面において提供されるユーザー装置は、本発明の第二の側面において提供される信号測定方法においてユーザー装置によって実行される機能を実装するよう構成される。それらの機能は、ハードウェアを使って実装されてもよく、あるいはハードウェアによって対応するソフトウェアを実行することによって実装されてもよい。
【００４４】
本発明の実施形態の第五の側面は、ネットワーク側装置によって使われるコンピュータ・ソフトウェア命令を記憶するよう構成されたコンピュータ記憶媒体を提供する。ここで、コンピュータ・ソフトウェア命令は、上記の諸側面を実行するよう設計されたプログラムを含む。
【００４５】
本発明の実施形態の第六の側面は、ユーザー装置によって使われるコンピュータ・ソフトウェア命令を記憶するよう構成されたコンピュータ記憶媒体を提供する。ここで、コンピュータ・ソフトウェア命令は、上記の諸側面を実行するよう設計されたプログラムを含む。
【００４６】
本発明の実施形態の第七の側面は、通信システムを提供する。該システムは、上記の諸側面において記載されたネットワーク側装置およびユーザー装置を含む。
【００４７】
本発明の実施形態では、ネットワーク側装置が下りリンク参照信号の構成情報および下りリンク参照信号を送り、ユーザー装置が下りリンク参照信号に基づいて測定を実行する。それにより、必要に応じて測定信号が構成されることができ、それにより測定精度および測定効率を改善し、下りリンク参照信号オーバーヘッドを軽減する。
【図面の簡単な説明】
【００４８】
本発明の実施形態におけるまたは従来技術における技術的解決策をより明確に記述するために、下記は実施形態または従来技術を記述するために必要とされる付属の図面を簡単に説明する。明らかに、以下の記述における付属の図面は、本発明の単にいくつかの実施形態を示しており、当業者は、創造的な努力なしにこれらの付属の図面から他の図面を導き出しうる。
【００４９】
【図１ａ】本発明のある実施形態に適用されるネットワーク・アーキテクチャーの概略図である。
【００５０】
【図１ｂ】本発明のある実施形態に適用される別のネットワーク・アーキテクチャーの概略図である。
【００５１】
【図２】本発明の実施形態１に基づく信号測定方法の概略的な通信図である。
【００５２】
【図３】LTEシステムにおける帯域幅資源の対応の概略図である。
【００５３】
【図４】四つのポートのチャネル状態情報参照信号の時間‐周波数資源構成の概略図である。
【００５４】
【図５】チャネル状態情報参照信号のサブフレーム構成テーブルである。
【００５５】
【図６】本発明の実施形態２に基づく信号測定方法の概略的な通信図である。
【００５６】
【図７】７Ａおよび７Ｂは、本発明の実施形態３に基づく信号測定方法の概略的な通信図である。
【００５７】
【図８】本発明の実施形態４に基づく信号測定方法の概略的な通信図である。
【００５８】
【図９】９Ａおよび９Ｂは、本発明の実施形態５に基づく信号測定方法の概略的な通信図である。
【００５９】
【図１０】本発明のある実施形態に基づくネットワーク側装置の概略的な構造図である。
【００６０】
【図１１】本発明のある実施形態に基づくユーザー装置の概略的な構造図である。
【発明を実施するための形態】
【００６１】
図１ａは、本発明のある実施形態に適用されるネットワーク・アーキテクチャーの概略図である。このネットワーク・アーキテクチャーの概略図はLTE通信システムのネットワーク・アーキテクチャーであってもよく、あるいは万国移動通信システム（Universal  Mobile  Telecommunications  System、UMTS）地上波無線アクセス・ネットワーク（UMTS  Terrestrial  Radio  Access  Network、UTRAN）アーキテクチャー、グローバル移動通信システム（Global  System  for  Mobile  Communications、GSM）／エンハンストデータレートフォーGSMエボリューション（Enhanced  Data  Rate  for  GSM  Evolution、EDGE）システム無線アクセス・ネットワーク（GSM  EDGE  Radio  Access  Network、GERAN）アーキテクチャーまたはさらには第五世代移動通信（5th-Generation、5G）システム・アーキテクチャーであってもよい。このネットワーク・アーキテクチャーの概略図は、移動性管理エンティティー（Mobility  Management  Entity、MME）／サービング・ゲートウェイ（Serving  Gateway、S-GW）、基地局およびユーザー装置（User  Equipment、UE）を含む。図１ａに示されるMME/S-GW、基地局およびUEの形および数は記述のための例として使われており、本発明の実施形態に対する限定をなすものではないことを注意しておくべきである。
【００６２】
MMEは、第三世代パートナーシッププロジェクト（3GPP、3rd  Generation  Partnership  Project）LTEにおけるキーとなる制御ノードであり、コア・ネットワーク要素であり、主として信号伝達処理、つまりアクセス・コントロール、移動性管理、アタッチメントおよびデタッチメント、セッション管理およびゲートウェイ選択を含む制御プレーン機能を受け持つ。S-GWは3GPP  LTEにおける重要なコア・ネットワーク要素であり、主としてユーザー・データ転送のユーザープレーン機能、つまりMMEの制御のもとでのパケット・ルーティングおよび転送を受け持つ。
【００６３】
基地局は、ユーザー装置と通信するよう構成され、GSMシステムまたは符号分割多重アクセス（Code  Division  Multiple  Access、CDMA）におけるベーストランシーバーステーション（Base  Transceiver  Station、BTS）、WCDMAシステムにおけるノードB、LTEシステムにおける進化型ノードB（eNB）またはさらには5Gシステムにおける基地局もしくは将来の通信システムにおける基地局であってもよい。基地局は、エア・インターフェース側では主として無線資源管理、サービス品質（Quality  Of  Service、QoS）管理、データ圧縮および暗号化ならびに他の機能を受け持つ。コア・ネットワーク側では、基地局は、主として制御プレーン信号をMMEに転送し、ユーザープレーン・サービス・データをS-GWに転送することを受け持つ。
【００６４】
ユーザー装置は、基地局を使ってネットワーク側にアクセスする装置であり、携帯電話、コードレス電話器、セッション開始プロトコル（Session  Initiation  Protocol、SIP）電話、無線ローカルループ（Wireless  Local  Loop、WLL）ステーション、携帯情報端末（Personal  Digital  Assistant、PDA）、無線通信機能をもつハンドヘルド装置またはコンピューティング装置、無線モデムに接続された別の処理装置、車載装置、ウェアラブル装置、将来の5Gネットワークにおける端末装置などを含みうるが、これらに限られない。
【００６５】
図１ａに示されるS1インターフェースは基地局とコア・ネットワークとの間の標準的なインターフェースである。基地局は、制御信号伝送のためにS1-MMEインターフェースを通じてMMEに接続される。基地局は、ユーザー・データ伝送のためにS1-Uインターフェースを通じてS-GWに接続される。S1-MMEインターフェースおよびS1-UインターフェースはまとめてS1インターフェースと称される。
【００６６】
図１ａに示されるX2インターフェースは、基地局間の標準的なインターフェースであり、基地局間での相互ネットワーク接続を実装するよう構成される。
【００６７】
図１ａに示されるUuインターフェースは、ユーザー装置と基地局との間の標準的なインターフェースであり、ユーザー装置は、Uuインターフェースを通じてLTE/5Gネットワークにアクセスする。
【００６８】
図１ｂは、本発明の実施形態に適用されるもう一つのネットワーク・アーキテクチャーの概略図である。このネットワーク・アーキテクチャーの概略図は、次世代無線通信システムにおけるニューラジオ（New  Radio,  NR）のネットワーク・アーキテクチャー図であってもよい。このネットワーク・アーキテクチャーの概略図では、一つの基地局は、一つの中央集中ユニット（Centralized  Unit、CU）および複数の送受信ポイント（Transmission  Reception  Point、TRP）／分散ユニット（Distributed  Unit、DU）に分割される。換言すれば、基地局の帯域幅ベース・ユニット（Bandwidth  Based  Unit、BBU）がDU機能エンティティーおよびCU機能エンティティーに再構成される。図１ｂに示される中央集中ユニットおよびTRP/DUの形および数は記述のための例として使われており、本発明の実施形態に対する限定をなすものではないことを注意しておくべきである。図１ｂに示される基地局１および基地局２はそれぞれ異なる形の中央集中ユニットに対応しているが、基地局１および基地局２の機能は影響されない。中央集中ユニット１および破線の範囲内のTRP/DUは基地局１の要素をなし、中央集中ユニット２および実線の範囲内のTRP/DUは基地局２の要素をなし、基地局１および基地局２がNRシステムにおける基地局であることが理解されうる。
【００６９】
CUは、上部無線プロトコル・スタック層、たとえば無線資源制御（Radio  Resource  Control、RRC）層およびパケット・データ収束プロトコル（Packet  Data  Convergence  Protocol、PDCP）層の機能を処理し、アクセス・ネットワークに埋没することにおいていくつかのコア・ネットワーク機能さえサポートできる。ある術語はエッジ・コンピューティング・ネットワークと称される。このアクセス・ネットワークは、ビデオ、オンラインショッピングおよび仮想／拡張現実感といった台頭しつつあるサービスのための将来の通信ネットワークの、より高いネットワーク・レイテンシー要件を満たすことができる。
【００７０】
DUは主として物理層機能およびより高いリアルタイム要件をもつ層２の機能を処理する。無線リモート・ユニット（Radio  Remote  Unit、RRU）およびDUの伝送資源を考えると、DUのいくつかの物理層機能はRRUに移されてもよい。RRUの小型化により、より根本的なDUがRRUの小型化と組み合わされてもよい。
【００７１】
複数のCUが一緒に置かれてもよい。DUのレイアウトは実際のネットワーク環境に依存する。より高いトラフィック密度、より小さなサイト間距離および限られた装置余地資源のあるエリア、たとえば都心エリア、大学、大規模パフォーマンス会場では、DUは中央集中式に配置されてもよい。しかしながら、より低いトラフィック密度およびより大きなサイト間距離をもつエリア、たとえば郊外および山岳エリアでは、DUは分散式に配置されてもよい。
【００７２】
図１ｂに示されるS1-Cインターフェースは、基地局とコア・ネットワークとの間の標準的なインターフェースであり、S1-Cに接続された個別的な装置は図１ｂには示されていない。
【００７３】
図１ａまたは図１ｂに示されるネットワーク・アーキテクチャーの概略図に基づき、下りリンク信号に基づく既存の測定方式は：基地局またはTRPによってCRSをUEに送り；CRSを受信するとき、UEによって測定を通じてCRSのRSRPまたはRSRQのような測定結果を得て、測定結果を基地局またはTRPに報告し；基地局またはTRPによって、UEによってフィードバックされた測定結果を受信し；UEによって、測定結果に基づいてセル・ハンドオーバーを実行することを含む。これは、各下りリンク・サブフレームにおいてCRSが存在するので、CRSオーバーヘッドをいくらか増す。さらに、UEがどのように動くかに関わりなく、固定した信号測定方式が使われる。結果として、必要に応じてUEのために測定信号が構成されることができず、不十分な測定精度のためピンポン・ハンドオーバー効果が引き起こされることがあり、測定効率もある程度影響されうる。
【００７４】
これに鑑み、本発明の実施形態は、信号測定方法、ネットワーク側装置およびユーザー装置を提供し、構成可能な下りリンク参照信号が信号測定のために使われ、それにより、必要に応じて測定信号が構成されることができ、それにより測定精度および測定効率を改善する。構成可能な下りリンク参照信号がいくつかのサブフレームにおいてのみ存在するので、下りリンク参照信号オーバーヘッドが低減されることができる。
【００７５】
本発明の実施形態において提供される信号測定方法、ネットワーク側装置およびユーザー装置は、図１ａまたは図１ｂに示されるネットワーク・アーキテクチャーの概略図に適用されうる。本発明の実施形態におけるネットワーク側装置は図１ａに示される基地局であってもよく、あるいは図１ｂに示されるTRP/DUであってもよく、あるいはTRP/DUとCUの組み合わせであってもよい。本発明の実施形態におけるユーザー装置は、携帯電話、コードレス電話、無線通信機能をもつハンドヘルド装置またはコンピューティング装置、無線モデムに接続された別の処理装置、車載装置、ウェアラブル装置、将来の5Gネットワークにおける端末装置などを含みうるが、これらに限られない。
【００７６】
下記は、図２ないし図９Ｂを参照して、本発明の実施形態において提供される信号測定方法を詳細に記述する。図２ないし図９Ｂは主として本発明の実施形態をネットワーク側装置とユーザー装置の間の相互作用の観点から記述していることを注意しておくべきである。ネットワーク側装置がTRPである例が記述のために使われる。
【００７７】
図２は、本発明の実施形態１に基づく信号測定方法の概略的な通信図である。本方法は段階２０１ないし２０５を含む。
【００７８】
２０１。ネットワーク側装置が、下りリンク参照信号の構成情報をユーザー装置に送る。該下りリンク参照信号の構成情報は、下りリンク参照信号のエア・インターフェース送信情報を示すために使われる。LTEシステムでは、基地局からユーザー装置に送られるCRSは各下りリンク・サブフレームにおいて存在する、あるいは換言すれば、下りリンク・サブフレームには常にCRSが存在する。このことは参照信号オーバーヘッドをある程度増す。これに鑑み、本発明のこの実施形態において、下りリンク・サブフレームに常に存在するCRSは信号測定のために使われず、構成可能な下りリンク参照信号が信号測定のために使われる。換言すれば、本発明のこの実施形態における下りリンク参照信号は下りリンク・サブフレームにおいて常に存在するのではなく、下りリンク参照信号はいくつかのサブフレームにおいて、あるいはいくつかの時間‐周波数タイルまたはいくつかのポート上で構成される。具体的には、下りリンク参照信号によって占められる時間‐周波数資源位置は、ネットワーク側装置によって構成される。本発明のこの実施形態における下りリンク参照信号がLTEシステムにおけるCRSを使わず、構成可能な下りリンク参照信号またはビーム・ベースの下りリンク参照信号を使うことが理解されうる。
【００７９】
ネットワーク側装置が二つ以上の下りリンク参照信号を構成する、たとえば異なるセルのために異なる下りリンク参照信号を構成するまたは同じセルの異なるビームのために異なる下りリンク参照信号もしくは同じ下りリンク参照信号を構成することを注意しておくべきである。
【００８０】
ある可能な実装では、下りリンク参照信号は構成可能な下りリンク参照信号であり、LTEシステムにおける既存の構成可能な下りリンク参照信号、たとえばチャネル状態情報参照信号（Channel  State  Information-Reference  Signal、CSI-RS）のような参照信号であってもよく、あるいは下りリンク測定参照信号であってもよい。下りリンク測定参照信号は、本発明のこの実施形態において提供される下りリンク参照信号であり、LTEシステムにおける既存の下りリンク参照信号と区別するために使われる。本発明のこの実施形態では、下りリンク参照信号がLTEシステムにおける既存の構成可能な下りリンク参照信号を使って構成されるときは、下りリンク参照信号は既存の下りリンク参照信号のいくつかのポート（port）またはいくつかの時間‐周波数資源上で構成されてもよい。具体的には、既存の下りリンク参照信号が測定を実行するようUEに命令するために再利用されてもよいが、既存の下りリンク参照信号のいくつかのポートまたはいくつかの時間‐周波数資源のみが使われる。たとえば、CSI-RSはネットワーク側装置によって構成されることができ、具体的には、いくつかのサブフレームはCSI-RSをもち、いくつかのサブフレームはCSI-RSをもたない；時にCSI-RSがあり、時CSI-RSがない。本発明のこの実施形態では、ネットワーク側装置はCSI-RSのいくつかのポートで下りリンク参照信号を構成してもよい。構成可能な下りリンク参照信号が下りリンク・サブフレームに常に存在するわけではなく、いくつかのサブフレームに、あるいはいくつかの時間‐周波数資源もしくはいくつかのポート上に存在するだけであることが理解されうる。
【００８１】
任意的に、たとえば、下りリンク参照信号はCSI-RSである。UEが複数のNRセルの重複するエリアに位置する場合、ネットワーク側装置はUEのために前記複数のNRセルのCSI-RS時間‐周波数資源を構成してもよい。NRセルのCSI-RS時間‐周波数資源は直交していてもよく、あるいは同じであってもよい。構成後、CSI-RSの構成情報が取得される。UEは、CSI-RSの構成情報に基づいて、異なるNRセルの時間‐周波数資源上でCSI-RSを測定しうる。
【００８２】
ある可能な実装では、下りリンク参照信号はビーム・ベースの下りリンク参照信号（Beam  based  RS）であり、ベーム固有参照信号（beam-specific  RS）、セル固有参照信号（cell-specific  RS）などを含んでいてもよい。NRシステムでは、一つのNRセルがM個のTRPを含み、各TRPがN個のビーム（beam）を含む。ビーム固有RSは、ビームに基づくRSを表わし、異なるセルにおける異なるビームについては異なるRSが使われる。セル固有RSはセルに基づくRSを表わし、同じセルの各ビームについて同じRSが使われる；または各セルについてのRSが同じ構成をもつ。
【００８３】
ビーム・ベースの下りリンク参照信号が半静的な下りリンク参照信号であることを注意しておくべきである。具体的には、ネットワーク側装置は、ビーム・ベースの下りリンク参照信号を構成してもよく、あるいはビーム・ベースの下りリンク参照信号を構成しなくてもよく、ネットワーク側装置は具体的には、ビーム・ベースの下りリンク参照信号を構成するかどうかを決定する。構成しないとき、ビーム・ベースの下りリンク参照信号は下りリンク・サブフレームに常に存在し、オーバーヘッドはいまだ比較的高い。
【００８４】
ネットワーク側装置は、実際の状況に基づき、いくつかのサブフレームにおいて、またはいくつかの時間‐周波数資源上で下りリンク参照信号を構成し、該構成後、下りリンク参照信号の構成情報を取得する。下りリンク参照信号の構成情報は、下りリンク参照信号のエア・インターフェース送信情報を示すために使われ、下りリンク参照信号のポート情報および下りリンク参照信号の時間‐周波数資源情報を含む。ポート情報は、1、2、4…のようなポートの数、つまり下りリンク参照信号を送るために占められるポートの数を記述するために使われる。時間‐周波数資源情報は、下りリンク参照信号を送るために占められる時間‐周波数資源位置を記述するために使われる。
【００８５】
図３は、LTEシステムにおける帯域幅資源の対応の概略図である。図３に示されるように、一つの無線フレームは10msであり、サブフレーム・インデックス0ないし9をもつ10個のサブフレームを含む。各サブフレームは1msであり、一つのサブフレームは二つのスロット（slot）に分割される。通常の巡回プレフィックス（Cyclic  Prefix、CP）モードでは、各スロットは、シンボル・インデックスI＝0ないしI＝6をもつ7個の直交周波数分割多重（Orthogonal  Frequency  Division  Multiplexing、OFDM）シンボルをもつ。システムは、資源ブロック（Resource  Block、RB）を割り当てることによって資源を割り当て、異なる帯域幅のためには異なる数のRBが割り当てられる。一般に、1個のRBは時間次元において一つのスロットによって占められる時間領域資源を含み、通例、周波数次元において12個のサブキャリアによって示される資源を含む。サブキャリア間隔は15kHzであり、OFDMシンボル上でサブキャリアによって占められる資源は資源要素（Resource  Element、RE）と称される。
【００８６】
たとえば、下りリンク参照信号は、図３および図４に示される四つのポートのCSI-RSの時間‐周波数資源構成の概略図を参照するCSI-RSであってもよい。図４は、通常のCPモードにおける時間‐周波数資源図である。図４に示されるように、時間次元は水平方向に表現され、一つのフレームは14個のシンボルを含む；周波数次元は垂直方向、12個のサブキャリアで表現されている。図４における灰色の影のエリアに示される三列はUEに割り当てられた帯域幅資源を表わし、斜線のエリアまたは直線のエリアに示されるセクションは、CSI-RSを構成するために占められる時間‐周波数資源を表わす。
【００８７】
図５は、CSI-RSのサブフレーム構成テーブルであり、図４を参照する下りリンク参照信号の構成情報を示しうる。
【００８８】
下りリンク参照信号がビーム・ベースの下りリンク参照信号であれば、下りリンク参照信号は同期信号ブロック内に存在し、下りリンク参照信号の構成情報も同期信号ブロック内に存在してもよい。
【００８９】
下りリンク参照信号の構成を完了した後、ネットワーク側装置は、下りリンク参照信号の構成情報をユーザー装置に送ってもよい。
【００９０】
ある可能な実装では、ネットワーク側装置は、下りリンク参照信号の構成情報を、物理ブロードキャスト・チャネル（Physical  Broadcast  Channel、PBCH）を通じてユーザー装置に送る。この場合、ネットワーク側装置は、PBCHを通じて、下りリンク参照信号の構成情報を、ネットワーク側装置のカバレッジ内のすべてのユーザー装置に、あるいはネットワーク側装置が属する基地局のカバレッジ内のすべてのユーザー装置に送ってもよい。すべてのユーザー装置に、下りリンク参照信号の時間‐周波数資源位置およびポート情報を通知するためである。前記ユーザー装置は、ネットワーク側装置のカバレッジ内のすべてのユーザー装置のうちの任意のもの、あるいはネットワーク側装置が属する基地局のカバレッジ内のすべてのユーザー装置のうちの任意のものでありうる。
【００９１】
ある可能な実装では、ネットワーク側装置は、下りリンク参照信号の構成情報を、無線資源制御（Radio  Resource  Control、RRC）信号伝達を使ってユーザー装置に送る。RRC信号伝達はたとえば、CSI-RS-Config  IEであってもよい。下りリンク参照信号の構成情報はRRC信号伝達において搬送されることが理解されうる。ネットワーク側装置は、RRC信号伝達を、ネットワーク側装置のカバレッジ内のユーザー装置に、あるいはネットワーク側装置が属する基地局のカバレッジ内のユーザー装置に、関連的に送ってもよい。あるいは換言すれば、異なるユーザー装置には異なるRRC信号伝達を送ってもよい。ネットワーク側装置は、異なるユーザー装置のためには、RRC信号伝達において下りリンク参照信号の異なる構成情報を構成することが理解されうる。同様に、前記ユーザー装置は、ネットワーク側装置のカバレッジ内のすべてのユーザー装置のうちの任意のもの、あるいはネットワーク側装置が属する基地局のカバレッジ内のすべてのユーザー装置のうちの任意のものでありうる。
【００９２】
ある可能な実装では、下りリンク参照信号を構成した後、ネットワーク側装置は、すぐに下りリンク参照信号の構成情報をユーザー装置に送りはせず、ユーザー装置の位置が特定の条件を満たすときに、下りリンク参照信号の構成情報をユーザー装置に送る。任意的に、ユーザー装置の位置が特定の条件を満たすときに、ネットワーク側装置は下りリンク参照信号を構成し、下りリンク参照信号の構成情報をユーザー装置に送る。
【００９３】
ネットワーク側装置は、ユーザー装置が事前設定された端エリアに位置しているかどうかを検出し、ユーザー装置が事前設定された端エリアに位置しているときに、下りリンク参照信号の構成情報をユーザー装置に送る。ネットワーク側装置が、ユーザー装置が事前設定された端エリアに位置しているかどうかを検出する方法は本願では限定されない。たとえば、ネットワーク側装置は、同期信号に基づく、ユーザー装置によってフィードバックされたRSRPに基づいて、ユーザー装置が事前設定された端エリアに位置しているかどうかを判定してもよく、あるいはユーザー装置の地理的位置情報に基づいて、ユーザー装置が事前設定された端エリアに位置しているかどうかを判定してもよい。
【００９４】
事前設定された端エリアは、ネットワーク側装置が属する基地局のカバレッジの端エリアであり、端エリアと基地局のカバレッジの中心との間の距離は事前設定された閾値を超える。事前設定された閾値または事前設定された端エリアの特定のサイズは、ネットワーク側装置によって設定され、本願では限定されない。ネットワーク側装置は、下りリンク参照信号の構成情報を、事前設定された端エリアに位置するすべてのユーザー装置に送ってもよい。この可能な実装において、ネットワーク側装置は、下りリンク参照信号の構成情報を、PBCHを通じてまたはRRC信号伝達を使ってユーザー装置に送りうる。
【００９５】
ユーザー装置が事前設定された端エリアに位置するとき、CRSまたは同期信号を使ってユーザー装置によって実行される測定の低い精度が、ピンポン・ハンドオーバー効果につながりうることが理解されうる。よって、本発明のこの実施形態において、下りリンク参照信号は、端エリアにおける測定精度が改善されることができるよう、測定のために構成される。
【００９６】
任意的に、ネットワーク側装置は、ユーザー装置が事前設定された端エリアに位置しているかどうかを検出し、ユーザー装置が事前設定された端エリアに位置しているときに、下りリンク参照信号を構成し、下りリンク参照信号の構成情報をユーザー装置に送る。
【００９７】
任意的に、ネットワーク側装置は、ネットワーク側装置間のインターフェースを通じて近隣のネットワーク側装置に下りリンク参照信号の構成情報を送って、該近隣のネットワーク側装置に、当該ネットワーク側装置によってユーザー装置に送られた内容を通知する。
【００９８】
ある可能な実装では、ユーザー装置の信号強度が事前設定された閾値未満であることを検出するとき、ネットワーク側装置は下りリンク参照信号の構成情報をユーザー装置に送る。ユーザー装置が比較的貧弱な信号をもつとき、ネットワーク側装置は下りリンク参照信号の構成情報をユーザー装置に送り、それにより、ユーザー装置は下りリンク参照信号に基づいて測定を実行し、それにより測定精度を改善することが理解されうる。事前設定された閾値の具体的な値はネットワーク側装置によって設定され、本願では限定されない。ネットワーク側装置がユーザー装置の信号強度を検出する方法も本願では限定されない。任意的に、ユーザー装置の別の信号パラメータが比較的小さいことを検出するときに、ネットワーク側装置は下りリンク参照信号の構成情報をユーザー装置に送る。
【００９９】
ネットワーク側装置が下りリンク参照信号の構成情報をユーザー装置に送る送信方向は、ユーザー装置によって送られるランダムアクセスチャネル（Random  Access  Channel、RACH）プリアンブル（preamble）またはメッセージ３（Msg3）のようなシーケンスまたは情報の送信方向に基づいて決定されてもよい。RACHおよびMsg3は上りリンク信号であり、ユーザーによってランダムアクセスのために使用されうる。
【０１００】
ネットワーク側装置が下りリンク参照信号の構成情報をユーザー装置に送る送信方向は、ユーザー装置によって送られる探測参照信号（Sounding  Reference  Signal、SRS）の送信方向に基づいて決定されてもよい。SRSは上りリンク参照信号であり、上りリンク・チャネル品質測定またはデータ復調のために使用されうる。
【０１０１】
２０２。ユーザー装置が、ネットワーク側装置によって送られた、下りリンク参照信号の構成情報を受信する。
【０１０２】
具体的には、ユーザー装置は、PBCHを通じてまたはRRC信号伝達を使って、ネットワーク側装置によって送られた、下りリンク参照信号の構成情報を受信する。あるいはユーザー装置は、ユーザー装置が事前設定された端エリアに位置しているときに、下りリンク参照信号の構成情報を受信する。
【０１０３】
下りリンク参照信号の構成情報を受信するとき、ユーザー装置は、下りリンク参照信号を受信するために、下りリンク参照信号のポート情報および時間‐周波数資源情報を、下りリンク参照信号の構成情報に基づいて決定する。
【０１０４】
２０３。ネットワーク側装置が、下りリンク参照信号をユーザー装置に送る。ここで、下りリンク参照信号は、下りリンク参照信号の前記構成情報に基づいて生成される。
【０１０５】
下りリンク参照信号の構成情報を取得した後、ネットワーク側装置は、下りリンク参照信号の構成情報に基づいて下りリンク参照信号を生成し、下りリンク参照信号をユーザー装置に送る。
【０１０６】
２０４。ユーザー装置が、ネットワーク側装置によって送られた下りリンク参照信号を受信する。
【０１０７】
具体的には、ユーザー装置は、下りリンク参照信号の構成情報に基づいて、ネットワーク側装置によって送られた下りリンク参照信号を受信する。
【０１０８】
２０５。ユーザー装置は、下りリンク参照信号に基づいて測定を実行する。
【０１０９】
ユーザー装置が事前設定された端エリアに位置しているまたはユーザー装置が任意のエリアに位置しているとき、ユーザー装置は、下りリンク参照信号に基づく測定を通じて、第一の測定結果を得てもよい。第一の測定結果は、第一のRSRP、第一のRSRQまたは第一の受信信号強度指標（Received  Signal  Strength  Indicator、RSSI）のうちの少なくとも一つを含む。RSRPはセル再選択およびハンドオーバーの重要な基礎の一つであり、RSRPの精度は、セル再選択およびハンドオーバーの精度を直接決定し、さらにシステム全体のパフォーマンスに影響する。RSRQ：この指標は主として種々のLTE候補セルを信号品質に基づいてソートするために使われ、この指標はセル・ハンドオーバーおよび再選択を実行する決定の入力として使われる。RSSIは無線伝送層の任意的な部分であり、リンク品質およびブロードキャスト送信強度を増大させるかどうかを決定するために使われる。
【０１１０】
任意的に、ユーザー装置は、下りリンク参照信号に対応する測定値を得て、下りリンク参照信号に対応する測定値に基づく計算を通じて、下りリンク参照信号に対応する第一の測定結果を得る。ユーザー装置は、別の仕方のまたは別のアルゴリズムに従った測定を通じて前記第一の測定結果を得てもよい。
【０１１１】
この場合、下りリンク参照信号に基づく測定を通じて得られた第一の測定結果は比較的高い精度をもち、接続モードにおいてUEの精密な計算のために使用されることができると考えられてもよい。二つ以上の下りリンク参照信号があり、第一のRSRPまたは第一のRSRQまたは第一のRSSIは一つまたは複数のセルに対応する下りリンク参照信号の測定値を表わしうることを注意しておくべきである。RSRPは例として使われている。各セルに対応する下りリンク参照信号のRSRPは複数のビームのRSRP値の最大値であってもよく、あるいは複数のビームのRSRP値の平均値であってもよく、あるいは複数のビームのRSRP値のN個の値であってもよい。下記の第二のRSRP、第三のRSRPおよび第四のRSRPも同じであってもよい。
【０１１２】
本発明のこの実施形態では、ネットワーク側装置は下りリンク参照信号の構成情報および下りリンク参照信号をユーザー装置に送り、ユーザー装置は下りリンク参照信号に基づいて測定を実行するので、測定は下りリンク参照信号に基づいて実行されることができ、測定信号が必要に応じて構成されることができ、それにより測定精度および測定効率を改善し、下りリンク参照信号オーバーヘッドを軽減する。
【０１１３】
図２に示した実施形態における段階２０６ないし段階２１１は任意的な段階であることを注意しておくべきである。
【０１１４】
２０６。ユーザー装置がネットワーク側装置に第一の測定結果を送る。
【０１１５】
具体的には、ユーザー装置はネットワーク側装置に第一の測定結果をフィードバックする。それにより、ネットワーク側装置は、第一の測定結果に従って、ユーザー装置がセル・ハンドオーバーを実行する必要があるかどうかを判定する。
【０１１６】
任意的に、ネットワーク側装置が、ユーザー装置がセル・ハンドオーバーまたは再選択を実行する必要があるかどうかをよりよく判定できるよう、第一の測定結果をフィードバックする前に、ユーザー装置は第一の測定結果に対してフィルタリングを実行してもよい。たとえば層３フィルタリングが第一の測定結果に対して実行される。層３フィルタリングの公式は、Fn＝(1−a)*Fm＋a*Mnであってもよい。ここで、Mnは現在の測定を通じて得られた値であり、Fmは以前のフィルタリング後に得られた値であり、Fnは現在のフィルタリング後に得られる値であり、aはフィルタ係数である。RSRPは例として使われている。第一の測定結果が第一のRSRPを含む場合、ユーザー装置は層３フィルタリングを第一のRSRPに対して実行する。
【０１１７】
２０７。ネットワーク側装置は、ユーザー装置によって送られた第一の測定結果を受信する。
【０１１８】
２０８。ネットワーク側装置は、第一の測定結果に基づいて、ユーザー装置がセル・ハンドオーバーまたは再選択を実行する必要があるかどうかを判定する。
【０１１９】
具体的には、第一の測定結果を受信するとき、ネットワーク側装置は、第一の測定結果に基づいて、ユーザー装置がセル・ハンドオーバーまたは再選択を実行する必要があるかどうかを判定する。ユーザー装置が接続モードにある場合、ネットワーク側装置は、ユーザー装置がセル・ハンドオーバーを実行する必要があるかどうかを判定し；あるいはユーザー装置がアイドル・モードにある場合は、ネットワーク側装置は、ユーザー装置がセル再選択を実行する必要があるかどうかを判定する。
【０１２０】
ネットワーク側装置が第一の測定結果に基づいて、ユーザー装置がセル・ハンドオーバーまたは再選択を実行する必要があるかどうかを判定する方法は本願では限定されない。
【０１２１】
２０９。判定結果が、ユーザー装置がセル・ハンドオーバーまたは再選択を実行する必要があるということである場合、ネットワーク側装置はユーザー装置に命令メッセージを送る。
【０１２２】
命令メッセージは、セル・ハンドオーバーまたは再選択を実行するようユーザー装置に命令するために使われる。
【０１２３】
２１０。ユーザー装置が、ネットワーク側装置によって送られた命令メッセージを受信する。
【０１２４】
２１１。ユーザー装置が、命令メッセージに従ってセル・ハンドオーバーまたは再選択を実行する。
【０１２５】
ユーザー装置は、命令メッセージに従って、ネットワーク側装置が属しているセルから目的セルにハンドオーバーされる、あるいは命令メッセージに従って目的セルを再選択する。
【０１２６】
たとえば、TRP1が位置しているセルがセルAであり、TRP2が位置しているセルがセルBであり、UEが接続モードにありTRP1と関連付けられているとする。この場合、セルAおよびセルBを測定するよう、TRP1がCSI-RSの構成情報をUEに送る。UEは構成情報に基づいてセルAの時間‐周波数資源上でCSI-RSを測定し、測定結果１を得て；セルBの時間‐周波数資源上でCSI-RSを測定し、測定結果２を得て；測定結果１および測定結果２をTRP1にフィードバックする。測定結果２が測定結果１よりよい（たとえば測定結果２と事前設定された値の間の差が測定結果１と該事前設定された値との間の差より大きい）場合、TRP1は命令メッセージをUEに送り、命令メッセージはセルAからセルBにハンドオーバーされるようUEに命令するために使われる。事前設定された値の値は本願では限定されず、TRP1によって設定される。
【０１２７】
図２に示される実施形態１の適用シナリオは：（１）ユーザー装置が事前設定された端エリアに位置している；（２）ユーザー装置が比較的貧弱な信号をもつ；および（３）ユーザー装置の位置および信号品質が制限されない、を含む。
【０１２８】
図６は、本発明の実施形態２に基づく信号測定方法の概略的な通信図である。方法は段階３０１ないし段階３０４を含む。図６に示される実施形態２の、図２に示される実施形態１と同じまたは同様である部分については、図２に示される実施形態１の具体的な記述が参照されることを注意しておくべきである。詳細をここで再び述べることはしない。
【０１２９】
３０１。ネットワーク側装置が、ユーザー装置が事前設定された中心エリアに位置しているかどうかを判定する。
【０１３０】
任意的に、ネットワーク側装置は、ユーザー装置の地理的位置に基づいて、ユーザー装置が事前設定された中心エリアに位置しているかどうかを判定する。あるいは、ネットワーク側装置は、別の方法を使って、ユーザー装置が事前設定された中心エリアに位置しているかどうかを判定する。具体的な判定方法は本願では限定されない。
【０１３１】
事前設定された中心エリアは、ネットワーク側装置のカバレッジ内の中心エリアであってもよく、あるいはネットワーク側装置が属する基地局のカバレッジ内の中心エリアであってもよく、事前設定された中心エリアのサイズは本願では限定されない。
【０１３２】
３０２。判定結果が、ユーザー装置がセル・ハンドオーバーまたは再選択を実行する必要があるというものである場合、ネットワーク側装置は同期信号をユーザー装置に送る。
【０１３３】
ユーザー装置が事前設定された中心エリアに位置しているとき、ネットワーク側装置は同期信号をユーザー装置に送る。同期信号は、主要同期信号（Primary  Synchronization  Signal、PSS）および副次同期信号（Secondary  Synchronization  Signal、SSS）を含む。
【０１３４】
主要同期信号は、主として、セル探索プロセスにおいて、シンボル／フレームの開始位置を迅速に決定するため、つまりシンボル・タイミング同期のために使われる。副次同期信号は主として、主要同期信号を支援するために使われる。主要同期信号は、フレーム内のサブフレーム１および６における第三のOFDMシンボルの資源要素に位置している。副次同期信号はフレーム内のサブフレーム０および５に位置している。本発明のこの実施形態では、主要同期信号および副次同期信号は測定のためにUEによって使われるが、測定結果は比較的低い精度をもち、アイドル・モードにおけるUEの計算および接続モードにおけるUEの大まかな計算のために使用されうる。
【０１３５】
３０３。ユーザー装置が、ネットワーク側装置によって送られた同期信号を受信する。
【０１３６】
ユーザー装置は、ネットワーク側装置によって送られた同期信号を受信し、同期信号を受信するとき、セルIDを同定してもよく、あるいはNRシステムではNRセルIDを同定してもよい。
【０１３７】
３０４。ユーザー装置は同期信号に基づいて測定を実行する。
【０１３８】
ユーザー装置は、同期信号に基づく測定を通じて第二の測定結果を得る。第二の測定結果は、第二のRSRP、第二のRSRQまたは第二のRSSIのうちの少なくとも一つを含む。ユーザー装置が測定および計算を通じて第二の測定結果を得る方法は、図２に示した実施形態において測定および計算を通じて第一の測定結果を得る方法と同じであってもよく、あるいは異なっていてもよい。これは具体的な状況に基づいて決定される。
【０１３９】
この場合、同期信号に基づく測定を通じて得られた第二の測定結果は比較的低い精度をもち、アイドル（idle）モードでのUEの計算または接続モードでのUEの大まかな計算のために使用されうると考えられてもよい。
【０１４０】
本発明のこの実施形態において、ユーザー装置が事前設定された中心エリアに位置しているとき、ネットワーク装置は同期信号をユーザー装置に送り、ユーザー装置はネットワーク側装置によって送られた同期信号に基づいて測定を実行する。
【０１４１】
図６に示した実施形態における段階３０５ないし３１０は任意的な段階であることを注意しておくべきである。
【０１４２】
３０５。ユーザー装置がネットワーク側装置に第二の測定結果を送る。
【０１４３】
同様に、ネットワーク側装置が、ユーザー装置がセル・ハンドオーバーまたは再選択を実行する必要があるかどうかをよりよく判定できるよう、ネットワーク側装置に第二の測定結果を送る前に、ユーザー装置は第二の測定結果に対してフィルタリングを実行してもよい。たとえば、第二の測定結果が第二のRSRPを含む場合、ユーザー装置は層３フィルタリングを第二のRSRPに対して実行する。
【０１４４】
３０６。ネットワーク側装置は、ユーザー装置によって送られた第二の測定結果を受信する。
【０１４５】
３０７。ネットワーク側装置は、第二の測定結果に基づいて、ユーザー装置がセル・ハンドオーバーまたは再選択を実行する必要があるかどうかを判定する。
【０１４６】
ユーザー装置がアイドル・モードにある場合、ネットワーク側装置は、第二の測定結果に基づいて、ユーザー装置がセル再選択を実行する必要があるかどうかを判定する；あるいはユーザー装置が接続モードにある場合、ネットワーク側装置は、第二の測定結果に基づいて、ユーザー装置がセル・ハンドオーバーを実行する必要があるかどうかを判定する。
【０１４７】
３０８。判定結果が、ユーザー装置がセル・ハンドオーバーまたは再選択を実行する必要があるというものである場合、ネットワーク側装置はユーザー装置に命令メッセージを送る。
【０１４８】
３０９。ユーザー装置が、ネットワーク側装置によって送られた命令メッセージを受信する。
【０１４９】
３１０。ユーザー装置が、命令メッセージに従ってセル・ハンドオーバーまたは再選択を実行する。
【０１５０】
ネットワーク側装置は、ユーザー装置が任意のエリアに位置しているときに同期信号を送ってもよいが、ユーザー装置が事前設定された端エリアに位置しているときは同期信号に基づく測定は低い精度をもち、ピンポン・ハンドオーバー効果につながりうることを注意しておくべきである。
【０１５１】
図２に示される実施形態１および図６に示される実施形態２に基づくと、ユーザー装置が事前設定された中心エリアに位置している場合には、ネットワーク側装置は同期信号をユーザー装置に送り、ユーザー装置はネットワーク側装置によって送られた同期信号に基づいて測定を実行してもよく；ユーザー装置が事前設定された端エリアに位置している場合には、ネットワーク側装置は下りリンク参照信号の構成情報をユーザー装置に送り、ユーザー装置は下りリンク参照信号に基づいて測定を実行してもよい。
【０１５２】
ユーザー装置が事前設定された中心エリアから事前設定された端エリアに動く場合、測定方式が変更され、測定は、ネットワーク側装置によって構成された下りリンク参照信号に基づいて実行される。たとえば、ユーザー装置がTRPの中心エリアから該TRPの端エリアに動くとき、TRPは、下りリンク参照信号の構成情報を使って、ユーザー装置に、下りリンク参照信号に基づいて測定を実行するよう命令し、ユーザー装置は、同期信号に基づく測定方式を、下りリンク参照信号に基づく測定方式に変更しうる。
【０１５３】
ユーザー装置が事前設定された中心エリアに位置しているときには、ユーザー装置は第二の測定結果をフィードバックし、ユーザー装置が事前設定された端エリアに位置しているときには、ユーザー装置は第一の測定結果をフィードバックする。
【０１５４】
ネットワーク側装置が下りリンク参照信号および同期信号の両方を送るときは、ユーザー装置は下りリンク参照信号に基づく測定を通じて第一の測定結果を、同期信号に基づく測定を通じて第二の測定結果を得てもよい。
【０１５５】
ある可能な実装では、ユーザー装置は、第一の測定結果および第二の測定結果に基づく計算を通じて第三の測定結果を得て、第三の測定結果をネットワーク側装置に送る。ネットワーク側装置は、第三の測定結果に基づいて、ユーザー装置がセル・ハンドオーバーまたは再選択を実行する必要があるかどうかを判定する。RSRPが例として使われる。ユーザー装置は第一のRSRPおよび第二のRSRPに基づく計算を通じて第三のRSRPを得る。計算公式は、RSRP_ave＝m*RSRP_coarse＋n*RSRP_fineであってもよく、RSRP_aveは第三のRSRPであり、RSRP_coarseは、より低い精度をもつ第二のRSRPであり、RSRP_fineは、より高い精度をもつ第一のRSRPであり、mおよびnは平均係数である。mおよびnの具体的な値は本願では限定されず、ユーザー装置によって設定される。同様に、ユーザー装置は、第三の測定結果を送る前に、第三の測定結果に対してフィルタリングを実行してもよい。
【０１５６】
ある可能な実装では、ユーザー装置は第一の測定結果および第二の測定結果をネットワーク側装置に送り、ネットワーク側装置が、第一の測定結果および第二の測定結果に基づいて、ユーザー装置がセル・ハンドオーバーまたは再選択を実行する必要があるかどうかを判定する。ネットワーク側装置は、上記の計算公式に従って第一の測定結果および第二の測定結果を計算してもよい。同様に、第一の測定結果および第二の測定結果を送る前に、ユーザー装置は第一の測定結果および第二の測定結果に対してフィルタリングを実行してもよい。
【０１５７】
図７Ａおよび図７Ｂは、本発明の実施形態３に基づく信号測定方法の概略的な通信図である。方法は段階４０１ないし段階４１１を含む。図７Ａおよび図７Ｂに示される実施形態３の、図２に示される実施形態１と同じまたは同様である部分については、図２に示される実施形態１の具体的な記述が参照されることを注意しておくべきである。詳細をここで再び述べることはしない。
【０１５８】
４０１。ネットワーク側装置が、同期信号をユーザー装置に送る。
【０１５９】
４０２。ユーザー装置が、ネットワーク側装置によって送られた同期信号を受信する。
【０１６０】
４０３。ユーザー装置が、同期信号に基づく測定を通じて第二の測定結果を得る。
【０１６１】
４０４。ユーザー装置が第二の測定結果をネットワーク側装置に送る。
【０１６２】
４０５。ネットワーク側装置がユーザー装置によって送られた第二の測定結果を受信する。
【０１６３】
４０６。ネットワーク側装置が、第二の測定結果に基づいて、ユーザー装置が事前設定された端エリアに位置しているかどうかを判定する。
【０１６４】
４０７。判定結果が、ユーザー装置がセル・ハンドオーバーまたは再選択を実行する必要があるというものである場合、ネットワーク側装置は下りリンク参照信号の構成情報を、RRC信号伝達を使ってユーザー装置に送る。
【０１６５】
４０８。ユーザー装置が、ネットワーク側装置によって送られた、下りリンク参照信号の構成情報を受信する。
【０１６６】
４０９。ネットワーク側装置が下りリンク参照信号をユーザー装置に送る。
【０１６７】
４１０。ユーザー装置が、ネットワーク側装置によって送られた下りリンク参照信号を受信する。
【０１６８】
４１１。ユーザー装置が、下りリンク参照信号に基づく測定を実行する。
【０１６９】
ユーザー装置は下りリンク参照信号に基づく測定を通じて第一の測定結果を得る。
【０１７０】
図７Ａおよび図７Ｂに示される実施形態において段階４１２ないし段階４１８は任意的な段階であることを注意しておくべきである。
【０１７１】
４１２。ユーザー装置が、第一の測定結果および第二の測定結果に基づく計算を通じて第三の測定結果を得る。
【０１７２】
段階４１２は任意的な段階であることを注意しておくべきである。
【０１７３】
４１３。ユーザー装置が、第一の測定結果をネットワーク側装置に送る。
【０１７４】
段階４１２が存在する場合、ユーザー装置は第三の測定結果をネットワーク側装置にフィードバックしてもよい。
【０１７５】
４１４。ネットワーク側装置が、第一の測定結果を受信する。
【０１７６】
段階４１２が存在する場合、ユーザー装置は第三の測定結果を受信する。
【０１７７】
４１５。ネットワーク側装置が、第一の測定結果に基づいて、ユーザー装置がセル・ハンドオーバーを実行する必要があるかどうかを判定する。
【０１７８】
段階４１２が存在する場合、ネットワーク側装置は、第三の測定結果に基づいて、ユーザー装置がセル・ハンドオーバーを実行する必要があるかどうかを判定する。
【０１７９】
４１６。判定結果が、ユーザー装置がセル・ハンドオーバーまたは再選択を実行する必要があるというものである場合、ネットワーク側装置はユーザー装置に命令メッセージを送る。
【０１８０】
４１７。ユーザー装置が、ネットワーク側装置によって送られた命令メッセージを受信する。
【０１８１】
４１８。ユーザー装置が、命令メッセージに従ってセル・ハンドオーバーを実行する。
【０１８２】
たとえば、TRP1が位置しているセルがセルAであり、TRP2が位置しているセルがセルBであり、UEが接続モードにありTRP1と関連付けられているとする。セルAを測定するよう、TRP1が下りリンク参照信号の構成情報１をUEに送る。UEは構成情報１またはデフォルトで取得される同期信号に基づく測定を通じて測定結果１を得て、測定結果１をTRP1にフィードバックする。TRP1が、測定結果１に基づいて、UEがTRP1の事前設定された端エリアに動くことを判別する場合、TRP1は下りリンク参照信号の構成情報２をUEに送る。構成情報２は、セルAのCSI-RSの構成情報およびセルBのCSI-RSの構成情報を含む。UEは、構成情報２に基づいてセルAおよびセルBの下りリンク参照信号を取得し、測定を通じて、セルAの測定結果２およびセルBの測定結果３を取得し、測定結果２および３をTRP1にフィードバックする。測定結果３が測定結果２よりよい（たとえば測定結果３と事前設定された値の間の差が測定結果２と該事前設定された値との間の差より大きい）場合、TRP1は命令メッセージをUEに送り、命令メッセージはセルAからセルBにハンドオーバーされるようUEに命令するために使われる。事前設定された値の値は本願では限定されず、TRP1によって設定される。本発明のこの実施形態では、ユーザー装置が事前設定された端エリアに位置していると判定するときは、ネットワーク側装置は下りリンク参照信号の構成情報をユーザー装置に送る。ユーザー装置が事前設定された端エリアに位置しているとき、ユーザー装置は下りリンク参照信号に基づいて信号を測定し、このため端エリアにおいてフィードバックされる測定結果は比較的精密であり、下りリンク参照信号オーバーヘッドも軽減されることができる。
【０１８３】
図８は、本発明の実施形態４に基づく信号測定方法の概略的な通信図である。方法は段階５０１ないし段階５０４を含む。図８に示される実施形態４の、図２に示される実施形態１と同じまたは同様である部分については、図２に示される実施形態１の具体的な記述が参照されることを注意しておくべきである。詳細をここで再び述べることはしない。
【０１８４】
５０１。ネットワーク側装置が、通知メッセージをユーザー装置に送る。通知メッセージは、事前設定されたネットワーク側装置の下りリンク参照信号の構成情報を含む。
【０１８５】
事前設定されたネットワーク側装置はエッジTRP、つまりネットワーク側装置が属する基地局のカバレッジの端エリアに設置されている一つまたは複数のTRPである。事前設定されたネットワーク側装置の数および端位置は、具体的な状況に基づいて決定され、本願では限定されない。ネットワーク側装置が属する基地局のカバレッジ内のネットワーク側装置の位置は限定されない。たとえば、前記ネットワーク側装置はTRP1であり、前記事前設定されたネットワーク側装置は端エリアにおけるTRP2である。
【０１８６】
通知メッセージは、事前設定されたネットワーク側装置の下りリンク参照信号の構成情報を含む。下りリンク参照信号の構成情報の説明については、図２の実施形態１における記述を参照されたい。ここで詳細を再び述べることはしない。通知メッセージは、事前設定されたネットワーク側装置が下りリンク参照信号を送ることをユーザー装置に通知するとともに、ユーザー装置が事前設定されたネットワーク側装置の下りリンク参照信号を取得するよう、事前設定されたネットワーク側装置の下りリンク参照信号の構成情報を使って、ユーザー装置に、事前設定されたネットワーク側装置の下りリンク参照信号によって占められる時間‐周波数資源を通知するために使用される。
【０１８７】
ネットワーク側装置は、通知メッセージを、PBCHを使ってユーザー装置に送る。ネットワーク側装置は、通知メッセージを、ネットワーク側装置のカバレッジ内のすべてのユーザー装置に送ってもよく、あるいは、通知メッセージを、ネットワーク側装置が属する基地局のカバレッジ内のすべてのユーザー装置に送ってもよい。
【０１８８】
５０２。ユーザー装置が、ネットワーク側装置によって送られた通知メッセージを受信する。
【０１８９】
５０３。事前設定されたネットワーク側装置のカバレッジ内であれば、ユーザー装置は事前設定されたネットワーク側装置の下りリンク参照信号を受信する。
【０１９０】
５０４。ユーザー装置が、事前設定されたネットワーク側装置の下りリンク参照信号に基づいて測定を実行する。
【０１９１】
ユーザー装置は移動状態にあってもよいので、ユーザー装置は事前設定されたネットワーク側装置のカバレッジに動いてもよい。この場合、ユーザー装置は、事前設定されたネットワーク側装置の下りリンク参照信号を受信し、事前設定されたネットワーク側装置の下りリンク参照信号を受信するときに、事前設定されたネットワーク側装置の下りリンク参照信号に基づいて測定を実行する。
【０１９２】
図２に示した実施形態１との相違は、ユーザー装置がネットワーク側装置の下りリンク参照信号に基づく測定を実行するのではなく、事前設定されたネットワーク側装置の下りリンク参照信号に基づく設定を実行することであり、それにより、ユーザー装置は、移動中に柔軟に信号を測定できる。
【０１９３】
図８に示した実施形態４における段階５０５ないし段階５１０は任意的段階であることを注意しておくべきである。
【０１９４】
５０５。ユーザー装置は測定結果をネットワーク側装置に送る。
【０１９５】
測定結果は、事前設定されたネットワーク側装置の下りリンク参照信号に基づく測定を通じてユーザー装置によって得られた第四の測定結果である。
【０１９６】
ネットワーク側装置が同期情報をユーザー装置に送る場合、測定結果は図６に示した実施形態２の第二の測定結果を含む、あるいは第二の測定結果および第四の測定結果を含む、あるいは第二の測定結果および第四の測定結果に基づく計算を通じてユーザー装置によって得られる第五の測定結果を含む。
【０１９７】
５０６。ネットワーク側装置が、ユーザー装置によってフィードバックされた測定結果を受信する。
【０１９８】
５０７。ネットワーク側装置が、測定結果に基づいて、ユーザー装置がセル・ハンドオーバーまたは再選択を実行する必要があるかどうかを判定する。
【０１９９】
たとえば、ネットワーク側装置がTRP1であり、事前設定されたネットワーク側装置が端エリアにおけるTRP2であり、TRP1が位置しているセルがセルAであり、TRP2が位置しているセルがセルBであるとする。TRP1がUEに通知メッセージを送り、通知メッセージはTRP2の下りリンク参照信号の構成情報を含む。UEがTRP2に移動する場合、UEは、構成情報に基づいてTRP2の下りリンク参照信号を取得し、測定を通じて測定結果を取得し、該測定結果をTRP1にフィードバックする。測定結果は、セルBについての測定結果およびセルBの近隣セルについての測定結果を含む。TRP2は、セルBについての測定結果およびセルBの近隣セルについての測定結果に基づいて、UEがセル・ハンドオーバーを実行するかどうかを決定する。
【０２００】
５０８。判定結果が、ユーザー装置がセル・ハンドオーバーまたは再選択を実行する必要があるというものである場合、ネットワーク側装置は命令メッセージをユーザー装置に送る。
【０２０１】
５０９。ユーザー装置が、ネットワーク側装置によって送られた命令メッセージを受信する。
【０２０２】
５１０。ユーザー装置が、命令メッセージに従ってセル・ハンドオーバーまたは再選択を実行する。
【０２０３】
本発明のこの実施形態では、ネットワーク側装置は通知メッセージを使って、ユーザー装置に、エッジ・ネットワーク側装置の下りリンク参照信号の構成情報を通知する。それにより、ユーザー装置は、エッジ・ネットワーク側装置の下りリンク参照信号に基づいて測定を実行し、測定結果をフィードバックする。このようにして、ユーザー装置は、信号を柔軟に測定でき、下りリンク参照信号オーバーヘッドも軽減されることができ、測定精度および測定効率が改善されることができる。
【０２０４】
図７Ａおよび図７Ｂに示される実施形態３では、ネットワーク側装置は、ユーザー装置が事前設定された端エリアに位置しているかどうかを検出し、ユーザー装置が事前設定された端エリアに位置しているときに下りリンク参照信号の構成情報ユーザー装置に送り、それにより下りリンク参照信号に基づく測定を実行するようユーザー装置に命令する。図８に示した実施形態４では、ネットワーク側装置は、エッジ・ネットワーク側装置の下りリンク参照信号の構成情報をユーザー装置に通知し、ユーザー装置は、ユーザー装置がエッジ・ネットワーク側装置のカバレッジ内に位置するときに、エッジ・ネットワーク側装置の下りリンク参照信号に基づいて測定を実行する。これら二つの実施形態の実装は異なるが、有益な効果は同じである。
【０２０５】
ネットワークにおいて頻繁に送られる固定した下りリンク参照信号への無線資源管理の依存性を減らすとともにシステム効率を改善するために、製造業者は、上りリンク信号に基づく測定方法を導入することを考える。具体的には、UEが上りリンク信号を送り、UEに関連付けられているNRセル／TRPおよび近隣のセルがUEによって送られた上りリンク信号を測定し、それらのセルの測定結果を比較および決定して、UEがサービスするための適正なセルにハンドオーバーされるべきかどうかを判定する。上りリンク測定の使用により、ネットワークはユーザーを追跡することができる。それにより、ネットワークは、ユーザーの現在位置を追跡できるのみならず、現在最良の伝送を提供できるTRPをも知ることができる。上りリンク測定を使うことは、さらに、ユーザーの迅速なアクセスを実装し、下りリンク・ページング（paging）・メッセージの送信範囲およびページング信号伝達オーバーヘッドを縮小し、ネットワーク・パフォーマンスを改善する。
【０２０６】
しかしながら、高周波数NRシステムにおいては、上りリンク測定信号は、方向性ビーム（beam）を使って送信される必要があることがある。二つの相続く上りリンク信号のビーム送信の間には比較的長い時間間隔、たとえば数ミリ秒または数十ミリ秒があることがあるので、TRPが正しいビームを受信するときには比較的大きなレイテンシーが生じる。
【０２０７】
これに鑑み、本発明の実施形態５において提供される上りリンク信号に基づく測定方法によれば、レイテンシーが短縮でき、電力が節約できる。図９Ａおよび図９Ｂは、本発明の実施形態５に基づく上りリンク信号に基づく測定方法の概略的な通信図である。方法は段階６０１ないし段階６１１を含む。図９Ａおよび図９Ｂに示される実施形態５の、図２に示される実施形態１と同じまたは同様である部分については、図２に示される実施形態１の具体的な記述が参照されることを注意しておくべきである。詳細をここで再び述べることはしない。
【０２０８】
６０１。ネットワーク側装置が、同期信号をユーザー装置に送る。
【０２０９】
６０２。ユーザー装置が、ネットワーク側装置によって送られた同期信号を受信する。
【０２１０】
６０３。ユーザー装置が、同期信号に基づく測定を通じて第二の測定結果を得る。
【０２１１】
６０４。ユーザー装置が第二の測定結果をネットワーク側装置に送る。
【０２１２】
６０５。ネットワーク側装置がユーザー装置によって送られた第二の測定結果を受信する。
【０２１３】
６０６。ネットワーク側装置が、第二の測定結果に基づいて、ユーザー装置が事前設定された端エリアに位置しているかどうかを判定する。
【０２１４】
６０７。判定結果が、ユーザー装置がセル・ハンドオーバーまたは再選択を実行する必要があるというものである場合、ネットワーク側装置は上りリンク参照信号の構成情報を、RRC信号伝達を使ってユーザー装置に送る。
【０２１５】
上りリンク参照信号はSRSであってもよい。
【０２１６】
６０８。ユーザー装置が、ネットワーク側装置によって送られた、上りリンク参照信号の構成情報を受信する。
【０２１７】
６０９。ユーザー装置が、上りリンク参照信号の構成情報に基づいて、上りリンク参照信号をネットワーク側装置に送る。
【０２１８】
ユーザー装置は、上りリンク参照信号の構成情報に基づいて、ネットワーク側装置によってユーザー装置に割り当てられ、上りリンク参照信号を送るために使われる時間‐周波数資源を取得し、該時間‐周波数資源を使って上りリンク参照信号をネットワーク側装置に送る。
【０２１９】
６１０。ネットワーク側装置が、ユーザー装置によって送られた上りリンク参照信号を受信する。
【０２２０】
６１１。ネットワーク側装置が、上りリンク参照信号に基づく計算を通じて第一の測定結果を得る。
【０２２１】
ネットワーク側装置が上りリンク参照信号に基づく計算を通じて第一の測定結果を得る具体的な方法は本願では限定されない。
【０２２２】
図９Ａおよび図９Ｂに示される実施形態５における段階６１２ないし段階６１６は任意的な段階であることを注意しておくべきである。
【０２２３】
６１２。ネットワーク側装置が、第一の測定結果および第二の測定結果に基づく計算を通じて第三の測定結果を得る。
【０２２４】
段階６１２は任意的な段階であることを注意しておくべきである。
【０２２５】
６１３。ネットワーク側装置が、第一の測定結果に基づいて、ユーザー装置がセル・ハンドオーバーを実行する必要があるかどうかを判定する。
【０２２６】
段階６１２が存在する場合、ネットワーク側装置は、第三の測定結果に基づいて、ユーザー装置がセル・ハンドオーバーを実行する必要があるかどうかを判定する。
【０２２７】
６１４。判定結果が、ユーザー装置がセル・ハンドオーバーまたは再選択を実行する必要があるというものである場合、ネットワーク側装置はユーザー装置に命令メッセージを送る。
【０２２８】
６１５。ユーザー装置が、ネットワーク側装置によって送られた命令メッセージを受信する。
【０２２９】
６１６。ユーザー装置が、命令メッセージに従ってセル・ハンドオーバーを実行する。
【０２３０】
本発明のこの実施形態では、ユーザー装置が事前設定された端エリアに位置しているときに、ネットワーク側装置は上りリンク参照信号の構成情報をユーザー装置に送り、該上りリンク参照信号の構成情報に基づいて、ユーザー装置が上りリンク参照信号をネットワーク側装置に送る。ネットワーク側装置は、ユーザー装置によって送られた上りリンク参照信号に基づいて計算を実行し、それにより無線資源管理を実行し、上りリンク参照信号ベースの測定を実装し、レイテンシーを短縮し、電力を節約する。
【０２３１】
図１０は、本発明のある実施形態に基づくネットワーク側装置の概略的な構造図である。図１０に示されるように、ネットワーク側装置１０００は、プロセッサ１００１およびトランシーバ１００２を含む。トランシーバ１００２は、トランシーバ・ユニットまたはトランシーバ回路によって実装されてもよく、プロセッサ１００１は一つまたは複数のユニットまたは回路によって実装されてもよい。
【０２３２】
ネットワーク側装置１０００が、方法実施形態におけるネットワーク側装置に対応していてもよく、方法におけるユーザー装置の任意の機能を有していてもよいことを理解しておくべきである。下記では記述のための例としていくつかの機能のみが使われるが、この実施形態はそれに限定されるものではない。
【０２３３】
トランシーバ１００２は、下りリンク参照信号の構成情報を送るよう構成され、該下りリンク参照信号の構成情報は、下りリンク参照信号のエア・インターフェース送信情報を示すために使われる。
【０２３４】
トランシーバ１００２は、前記下りリンク参照信号を送るようさらに構成され、前記下りリンク参照信号は、前記下りリンク参照信号の前記構成情報に基づいて生成される。
【０２３５】
任意的に、下りリンク参照信号の構成情報は、下りリンク参照信号のポート情報および下りリンク参照信号の時間‐周波数資源情報を含む。
【０２３６】
任意的に、トランシーバ１００２は具体的には、下りリンク参照信号の構成情報を、物理ブロードキャスト・チャネルPBCHを通じて送る、または下りリンク参照信号の構成情報を、無線資源制御RRC信号伝達を使って送るよう構成される。
【０２３７】
任意的に、下りリンク参照信号は構成可能な下りリンク参照信号であり、チャネル状態情報参照信号または下りリンク測定参照信号を含む；または下りリンク参照信号はビーム・ベースの下りリンク参照信号であり、ビーム固有参照信号またはセル固有参照信号を含む。
【０２３８】
任意的に、トランシーバ１００２は具体的には、ユーザー装置が事前設定された端エリアに位置していることが検出されるときに、下りリンク参照信号の構成情報を送るよう構成される。
【０２３９】
任意的に、トランシーバ１００２はさらに、ユーザー装置によって送られた第一の測定結果を受信するよう構成される。ここで、第一の測定結果は下りリンク参照信号に基づく測定を通じてユーザー装置によって得られ、第一の参照信号受信電力RSRP、第一の参照信号受信品質RSRQまたは第一の受信信号強度指標RSSIのうちの少なくとも一つを含む。
【０２４０】
任意的に、トランシーバ１００２はさらに、ユーザー装置によって送られた第二の測定結果を受信するよう構成され、ここで、第二の測定結果は、ネットワーク側装置によって送られた同期信号に基づく測定を通じてユーザー装置によって得られ、第二のRSRP、第二のRSRQまたは第二のRSSIのうちの少なくとも一つを含む。
【０２４１】
任意的に、トランシーバ１００２はさらに、ユーザー装置によって送られた第三の測定結果を受信するよう構成され、ここで、第三の測定結果は、第一の測定結果および第二の測定結果に基づく計算を通じてユーザー装置によって得られ、第三のRSRP、第三のRSRQまたは第三のRSSIのうちの少なくとも一つを含む。
【０２４２】
任意的に、トランシーバ１００２はさらに、ユーザー装置によって送られる第一の測定結果および第二の測定結果を受信するよう構成され、第一の測定結果は、ユーザー装置が事前設定された端エリアに位置しているときに下りリンク参照信号に基づく測定を通じて得られ、第二の測定結果は、ユーザー装置が事前設定された中心エリアに位置しているときに同期信号に基づく測定を通じて得られる。
【０２４３】
任意的に、トランシーバ１００２はさらに、ユーザー装置によって送られた測定結果に基づいて、ユーザー装置がセル・ハンドオーバーまたは再選択を実行する必要があるかどうかを判定する。ここで、測定結果は前記第一の測定結果または前記第二の測定結果または前記第三の測定結果または前記第一の測定結果と前記第二の測定結果を含む。
【０２４４】
判定結果が、ユーザー装置がセル・ハンドオーバーまたは再選択を実行する必要があるというものである場合、ネットワーク側装置はユーザー装置に命令メッセージを送り、該命令メッセージは、セル・ハンドオーバーまたは再選択を実行するようユーザー装置に命令するために使われる。
【０２４５】
図１１は、本発明のある実施形態に基づくユーザー装置の概略的な構造図である。図１１に示されるように、ユーザー装置１１００は、プロセッサ１１０１および通信モジュール１１０２を含む。通信モジュール１１０２は、トランシーバ・ユニットまたはトランシーバ回路によって実装されてもよく、プロセッサ１１０１は一つまたは複数のユニットまたは回路によって実装されてもよい。
【０２４６】
通信モジュール１１０２は、下りリンク参照信号の構成情報を受信するよう構成され、該下りリンク参照信号の構成情報は、下りリンク参照信号のエア・インターフェース送信情報を示すために使われる。
【０２４７】
通信モジュール１１０２はさらに、下りリンク参照信号を受信するよう構成され、前記下りリンク参照情報は、前記下りリンク参照信号の前記構成情報に基づいて生成される。
【０２４８】
プロセッサ１１０１は、前記下りリンク参照信号に基づいて測定を実行するよう構成される。
【０２４９】
任意的に、下りリンク参照信号の構成情報は、下りリンク参照信号のポート情報および下りリンク参照信号の時間‐周波数資源情報を含む。
【０２５０】
任意的に、下りリンク参照信号の構成情報は、PBCHを通じてユーザー装置に送られる、またはRRC信号伝達を使ってユーザー装置に送られる。
【０２５１】
任意的に、下りリンク参照信号は構成可能な下りリンク参照信号であり、チャネル状態情報参照信号または下りリンク測定参照信号を含む；または下りリンク参照信号はビーム・ベースの下りリンク参照信号であり、ビーム固有参照信号またはセル固有参照信号を含む。
【０２５２】
任意的に、下りリンク参照信号の構成情報は、ユーザー装置が事前設定された端エリアに位置していることをネットワーク側装置が検出するときに、ネットワーク側装置によってユーザー装置に送られる。
【０２５３】
任意的に通信モジュール１１０２はさらに、第一の測定結果を送るよう構成される。第一の測定結果は、下りリンク参照信号に基づく測定を通じてユーザー装置によって得られ、第一のRSRP、第一のRSRQまたは第一のRSSIのうちの少なくとも一つを含む。
【０２５４】
任意的に、プロセッサ１１０１はさらに、第二の測定結果を、同期信号に基づく測定を通じて得るよう構成され、第二の測定結果は、第二のRSRP、第二のRSRQまたは第二のRSSIのうちの少なくとも一つを含み；
通信モジュール１１０２はさらに、第二の測定結果を送るよう構成される。
【０２５５】
任意的に、プロセッサ１１０１はさらに、第一の測定結果および第二の測定結果に基づく計算を通じて第三の測定結果を得るよう構成され、前記測定結果は第三の測定結果を含み、該第三の測定結果は、第三のRSRP、第三のRSRQまたは第三のRSSIのうちの少なくとも一つを含み；
通信モジュール１１０２はさらに、第三の測定結果を送るよう構成される。
【０２５６】
任意的に、プロセッサ１１０１はさらに、ユーザー装置が事前設定された端エリアに位置しているときに下りリンク参照信号に基づく測定を通じて前記第一の測定結果を得るよう構成され；
プロセッサ１１０１はさらに、ユーザー装置が事前設定された中心エリアに位置しているときは、同期信号に基づく測定を通じて前記第二の測定結果を得るよう構成され；
通信モジュール１１０２はさらに、第一の測定結果および第二の測定結果を送るよう構成される。
【０２５７】
任意的に、通信モジュール１１０２はさらに、命令メッセージを受信し、該命令メッセージに従ってセル・ハンドオーバーまたは再選択を実行するよう構成される。
【０２５８】
任意的に、ネットワーク側装置１０００およびユーザー装置１１００のそれぞれはさらにメモリを含んでいてもよい。メモリはプログラム・コードおよび他の記憶された内容を記憶してもよく、プロセッサは、ネットワーク側装置１０００およびユーザー装置１１００の対応する機能を実施するために、メモリに記憶された該プログラム・コードおよび他の記憶された内容を呼び出す。
【０２５９】
本願の実装はさらに、上記のネットワーク側装置実施形態におけるネットワーク側装置およびユーザー装置実施形態におけるユーザー装置を含む通信システムを含む。
【０２６０】
本願の実装において、装置は、フィールドプログラマブルゲートアレイ（Field-Programmable  Gate  Array、FPGA）であってもよく、特定用途向け集積回路（Application  Specific  Integrated  Circuit、ASIC）であってもよく、システムオンチップ（System  on  Chip、SoC）であってもよく、中央処理ユニット（Central  Processor  Unit、CPU）であってもよく、ネットワーク・プロセッサ（Network  Processor、NP）であってもよく、デジタル信号処理回路（Digital  Signal  Processor、DSP）であってもよく、マイクロコントローラ・ユニット（Micro  Controller  Unit、MCU）であってもよく、あるいはプログラム可能型コントローラ（Programmable  Logic  Device、PLD）または他の集積チップであってもよい。
【０２６１】
当業者は、本明細書に開示された実施形態に記載された例と組み合わせて、ユニットおよびアルゴリズム段階が電子ハードウェアまたはコンピュータ・ソフトウェアと電子ハードウェアの組み合わせによって実装されてもよいことを認識しうる。機能がハードウェアまたはソフトウェアのどちらで実行されるかは、技術的解決策の具体的な用途および設計上の制約に依存する。当業者は、それぞれの具体的な用途について、記載された機能を実装するために種々の方法を使用しうるが、その実装が本発明の範囲を超えると考えられるべきではない。
【０２６２】
当業者は、便利で簡単な説明のために、前述のシステム、装置およびユニットの詳細な作業プロセスについては、前述の方法実施形態における対応するプロセスが参照されうることを明確に理解しうる。詳細をここで再び述べることはしない。簡潔の容易のため、各方法実施形態が相互参照として使われることもあり、詳細は説明されない。
【０２６３】
本出願において提供されるいくつかの実施形態において、開示されたシステム、装置および方法は他の仕方で実装されてもよいことが理解されるべきである。たとえば、記載された装置実施形態は単に例である。たとえば、ユニット分割は単に論理的な機能分割であり、実際の実装においては他の分割でもよい。たとえば、複数のユニットまたはコンポーネントを組み合わせたり、他のシステムに統合したりしてもよく、あるいはいくつかの機能を無視するまたは実行しないことができる。さらに、表示された、または論じられた相互結合または直接結合または通信接続は、いくつかのインターフェースを使って実装されうる。装置間またはユニット間の間接結合または通信接続は、電子的、機械的または他の形で実装されてもよい。
【０２６４】
別個の部分として記載されたユニットは物理的に別個であってもなくてもよく、ユニットとして表示された部分は物理的なユニットであってもなくてもよく、一箇所に配置されても、あるいは複数のネットワーク・ユニットに分散されてもよい。実施形態の解決策の目的を達成するために、ユニットのいくつかまたはすべてが実際の要件に基づいて選択されうる。
【０２６５】
さらに、本発明の実施形態における機能ユニットは一つの処理ユニットに統合されていてもよく、あるいは各ユニットが物理的に単体で存在していてもよく、あるいは二つ以上のユニットが一つのユニットに統合される。
【０２６６】
機能がソフトウェア機能ユニットの形で実装され、独立した製品として販売または使用されるとき、それらの機能はコンピュータ可読記憶媒体に記憶されてもよい。そのような理解に基づいて、本質的に本発明の技術的解決策、または先行技術に寄与する部分、または技術的解決策のいくつかは、ソフトウェア製品の形で実装されてもよい。コンピュータ・ソフトウェア製品は、記憶媒体に格納され、コンピュータ装置（これはパーソナル・コンピュータ、サーバーまたはネットワーク装置でありうる）に、本発明の実施形態に記載される方法の段階の全部または一部を実行するように指示するためのいくつかの命令を含む。前述の記憶媒体は、USBフラッシュドライブ、リムーバブルハードディスク、読み出し専用メモリ（ROM、Read-Only  Memory）、ランダムアクセスメモリ（RAM、Random  Access  Memory）、磁気ディスクまたは光ディスクのような、プログラム・コードを記憶することができる任意の媒体を含む。
【０２６７】
上記の説明は、単に本発明の個別的実装であり、本発明の保護範囲を限定することを意図するものではない。本発明に開示された技術的範囲内で当業者によって容易に考え出されるあらゆる変形または置換は、本発明の保護範囲内にはいる。したがって、本発明の保護範囲は請求項の保護範囲に従う。
【図１ａ】
2020503819.tif 000003
【図１ｂ】
2020503819.tif 000004
【図２】
2020503819.tif 000005
【図３】
2020503819.tif 000006
【図４】
2020503819.tif 000007
【図５】
2020503819.tif 000008
【図６】
2020503819.tif 000009
【図７Ａ】
2020503819.tif 000010
【図７Ｂ】
2020503819.tif 000011
【図８】
2020503819.tif 000012
【図９Ａ】
2020503819.tif 000013
【図９Ｂ】
2020503819.tif 000014
【図１０】
2020503819.tif 000015
【図１１】
2020503819.tif 000016
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
信号測定方法であって：
ユーザー装置によって、チャネル状態情報参照信号CSI-RSを受信する段階と；
前記ユーザー装置によって、同期信号を受信する段階と；
前記ユーザー装置によって、第一の測定結果および第二の測定結果を送る段階であって、前記第一の測定結果は、前記CSI-RSを測定することによって得られ、前記第二の測定結果は、前記同期信号を測定することによって得られる、段階とを含む、
方法。
【請求項２】
前記CSI-RSの構成情報は、RRC信号伝達を使って前記ユーザー装置に送られる、請求項１記載の方法。
【請求項３】
前記第一の測定結果は、第一のRSRP、第一のRSRQまたは第一のRSSIのうちの少なくとも一つを含む、請求項１ないし２のうちいずれか一項記載の方法。
【請求項４】
前記第二の測定結果は、第二のRSRP、第二のRSRQまたは第二のRSSIのうちの少なくとも一つを含む、請求項１ないし３のうちいずれか一項記載の方法。
【請求項５】
当該方法がさらに：
前記ユーザー装置によって、第三の測定結果を送る段階を含み、前記第三の測定結果は、前記第一の測定結果および前記第二の測定結果に基づく計算を通じて得られ、前記第三の測定結果は、第三のRSRP、第三のRSRQまたは第三のRSSIのうちの少なくとも一つを含む、
請求項１ないし４のうちいずれか一項記載の方法。
【請求項６】
当該方法がさらに：
前記ユーザー装置が前記事前設定された端エリアに位置しているときに、前記下りリンク参照信号に基づく測定を通じて前記第一の測定結果を得て；
前記ユーザー装置が事前設定された中心エリアに位置しているときに、前記同期信号に基づく測定を通じて前記第二の測定結果を得ることを含む、
請求項６または７記載の方法。
【請求項７】
当該方法がさらに：
前記ユーザー装置によって、命令メッセージを受信する段階を含み、該命令メッセージは、セル・ハンドオーバーまたは再選択を実行することを示す、
請求項６ないし９のうちいずれか一項記載の方法。
【請求項８】
前記第一の測定結果および前記第二の測定結果がRRMのために使われる、請求項１ないし４のうちいずれか一項記載の方法。
【請求項９】
信号測定方法であって：
ネットワーク側装置によって、チャネル状態情報参照信号CSI-RSを送る段階と；
前記ネットワーク側装置によって、同期信号を送る段階と；
前記ネットワーク側装置によって、第一の測定結果および第二の測定結果を受信する段階であって、前記第一の測定結果は、前記CSI-RSを測定することによって得られたものであり、前記第二の測定結果は、前記同期信号を測定することによって得られたものである、段階とを含む、
方法。
【請求項１０】
ネットワーク側装置によって、チャネル状態情報参照信号CSI-RSを送る前記段階は、
前記ネットワーク側装置によって、前記チャネル状態情報参照信号CSI-RSを、無線資源制御RRC信号伝達を使って送ることを含む、
請求項９記載の方法。
【請求項１１】
請求項９または１０記載の方法を実装するよう構成された一つまたは複数のモジュールを有するネットワーク側装置。
【請求項１２】
請求項１ないし８のうちいずれか一項記載の方法を実装するよう構成された一つまたは複数のモジュールを有するユーザー装置。
【手続補正２】
【補正対象書類名】明細書
【補正対象項目名】００２４
【補正方法】変更
【補正の内容】
【００２４】
ある可能な実装では、第二の測定結果または前記第一の測定結果と前記第二の測定結果または前記第三の測定結果に基づいて、ユーザー装置がセル・ハンドオーバーまたは再選択を実行する必要があるかどうかをネットワーク側装置によって判定する精度は比較的高い。
【手続補正３】
【補正対象書類名】明細書
【補正対象項目名】００８５
【補正方法】変更
【補正の内容】
【００８５】
図３は、LTEシステムにおける帯域幅資源の時間‐周波数対応の概略図である。図３に示されるように、一つの無線フレームは10msであり、サブフレーム・インデックス0ないし9をもつ10個のサブフレームを含む。各サブフレームは1msであり、一つのサブフレームは二つのスロット（slot）に分割される。通常の巡回プレフィックス（Cyclic  Prefix、CP）モードでは、各スロットは、シンボル・インデックスI＝0ないしI＝6をもつ7個の直交周波数分割多重（Orthogonal  Frequency  Division  Multiplexing、OFDM）シンボルをもつ。システムは、資源ブロック（Resource  Block、RB）を割り当てることによって資源を割り当て、異なる帯域幅のためには異なる数のRBが割り当てられる。一般に、1個のRBは時間次元において一つのスロットによって占められる時間領域資源を含み、通例、周波数次元において12個のサブキャリアによって示される資源を含む。サブキャリア間隔は15kHzであり、OFDMシンボル上でサブキャリアによって占められる資源は資源要素（Resource  Element、RE）と称される。
【手続補正４】
【補正対象書類名】明細書
【補正対象項目名】００８６
【補正方法】変更
【補正の内容】
【００８６】
たとえば、下りリンク参照信号は、図３および図４に示される四つのポートのCSI-RSの時間‐周波数資源構成の概略図を参照するCSI-RSであってもよい。図４は、通常のCPモードにおける時間‐周波数資源図である。図４に示されるように、時間次元は水平方向に表現され、一つのサブフレームは14個のシンボルを含む；周波数次元は垂直方向、12個のサブキャリアで表現されている。図４における灰色の影のエリアに示される三列はUEに割り当てられた帯域幅資源を表わし、斜線のエリアまたは直線のエリアに示されるセクションは、CSI-RSを構成するために占められる時間‐周波数資源を表わす。
【手続補正５】
【補正対象書類名】明細書
【補正対象項目名】０２３２
【補正方法】変更
【補正の内容】
【０２３２】
ネットワーク側装置１０００が、方法実施形態におけるネットワーク側装置に対応していてもよく、方法におけるネットワーク側装置の任意の機能を有していてもよいことを理解しておくべきである。下記では記述のための例としていくつかの機能のみが使われるが、この実施形態はそれに限定されるものではない。
【国際調査報告】
2020503819.tif 000017
2020503819.tif 000018
2020503819.tif 000019
2020503819.tif 000020